(57)【要約】【課題】パームレスト部を有効に活用することが可能な情報処理装置を提供することにある。【解決手段】実施形態に係る情報処理装置は、本体の上面に配置されたキーボードと、本体に取り付けられるメインディスプレイと、キーボードの手前側に位置するパームレスト部に配置されたサブディスプレイとを具備する。【選択図】図１Ｂ
2019145058.tif 000002
【特許請求の範囲】
【請求項１】
本体の上面に配置されたキーボードと、
前記本体に取り付けられるメインディスプレイと、
前記キーボードの手前側に位置するパームレスト部に配置されたサブディスプレイと
を具備する情報処理装置。
【請求項２】
前記サブディスプレイは、当該サブディスプレイに表示された画面に対するユーザの接触位置を検出可能なタッチセンサを有する請求項１記載の情報処理装置。
【請求項３】
第１スイッチ及び第２スイッチを更に具備し、
前記第１スイッチがオン状態とされた場合には、第１オペレーティングシステムが起動され、前記メインディスプレイ及び前記サブディスプレイが制御され、
前記第２スイッチがオン状態とされた場合には、第２オペレーティングシステムが起動され、前記サブディスプレイが制御される
請求項１または２記載の情報処理装置。
【請求項４】
前記サブディスプレイは、ユーザの指紋を認証する指紋認証機能を実現するための指紋センサを有する請求項１〜３のいずれか一項に記載の情報処理装置。
【請求項５】
前記パームレスト部に配置されたサブディスプレイを有するディスプレイユニットは、前記本体に対して着脱可能に構成されている請求項１〜４のいずれか一項に記載の情報処理装置。
【請求項６】
前記第２オペレーティングシステムは前記第１オペレーティングシステムよりも負荷が小さい請求項３記載の情報処理装置。
【請求項７】
前記第１オペレーティングシステムは第１演算処理部で動作し、前記第２オペレーティングシステムは前記第１演算処理部よりも消費電力が小さい第２演算処理部で動作する請求項３記載の情報処理装置。
【請求項８】
前記サブディスプレイ上にユーザの手のひらまたは手首が置かれたと判定された場合、当該サブディスプレイの一部の領域の機能はオフされる請求項２記載の情報処理装置。
【請求項９】
前記メインディスプレイは第１ディスプレイと第２ディスプレイを有する
請求項１〜８のいずれか一項に記載の情報処理装置。
【請求項１０】
前記第１ディスプレイは前記本体に連結され、前記第２ディスプレイは前記第１ディスプレイに連結され、前記第２ディスプレイの面積は前記サブディスプレイの面積よりも小さい
請求項９記載の情報処理装置。
【請求項１１】
前記メインディスプレイは前記本体の面積よりも小さい
請求項１〜８のいずれか一項に記載の情報処理装置。
【請求項１２】
前記メインディスプレイは前記キーボードの面積よりも小さい
請求項１１記載の情報処理装置。
【請求項１３】
前記サブディスプレイは前記本体と着脱可能とされる
請求項１〜８のいずれか一項に記載の情報処理装置。
【発明の詳細な説明】
【技術分野】
【０００１】
本発明の実施形態は、情報処理装置に関する。
【背景技術】
【０００２】
一般的に、ノートブック型のパーソナルコンピュータのような情報処理装置の本体にはディスプレイが取り付けられており、当該本体の上面にはキーボード及びタッチパッドが配置されている。
【０００３】
このような情報処理装置によれば、キーボードを用いて入力された文字等をディスプレイに表示する、または、タッチパッドを用いてディスプレイに表示されたポインタ（カーソル）を操作するようなことが可能となる。
【先行技術文献】
【特許文献】
【０００４】
【特許文献１】特開２００５−１９０３５３号公報
【発明の概要】
【発明が解決しようとする課題】
【０００５】
ところで、上記したタッチパッドはキーボードの手前側に位置するパームレスト部に配置されているが、当該パームレスト部をより有効に活用することが検討されている。
【０００６】
そこで、本発明が解決しようとする課題は、パームレスト部を有効に活用することが可能な情報処理装置を提供することにある。
【課題を解決するための手段】
【０００７】
実施形態に係る情報処理装置は、本体の上面に配置されたキーボードと、前記本体に取り付けられるメインディスプレイと、前記キーボードの手前側に位置するパームレスト部に配置されたサブディスプレイとを具備する。
【図面の簡単な説明】
【０００８】
【図１Ａ】パームレスト部にタッチパッドが配置された情報処理装置を示す図。
【図１Ｂ】実施形態に係る情報処理装置の概要について説明するための図。
【図２】指紋認証機能について説明するための図。
【図３】手書き入力機能について説明するための図。
【図４】範囲調整機能について説明するための図。
【図５】情報処理装置の外観の一例を示す斜視図。
【図６】情報処理装置のシステム構成の一例を示す図。
【図７】情報処理装置がメインディスプレイモードで動作する場合について説明するための図。
【図８】情報処理装置がサブディスプレイモードで動作する場合について説明するための図。
【図９Ａ】情報処理装置がサブディスプレイモードで動作する場合にサブディスプレイに表示される画面の一例を示す図。
【図９Ｂ】情報処理装置がサブディスプレイモードで動作する場合にサブディスプレイに表示される画面の別の例を示す図。
【図１０】キーボードを用いてメモを取る場合にサブディスプレイに表示される画面の一例を示す図。
【図１１】パームレスト部にボタンが設けられた情報処理装置の一例を示す図。
【図１２】サブディスプレイがパームレスト部の一部に配置された情報処理装置の一例を示す図。
【図１３】サブディスプレイユニットが本体に対して着脱可能に構成されている情報処理装置の一例を示す図。
【図１４】入力装置として実現された情報処理装置の外観の一例を示す図。
【図１５】第２の実施形態に係る情報処理装置のシステム構成の一例を示す図。
【図１６】第３の実施形態に係る情報処理装置のシステム構成の一例を示す図。
【図１７】第４の実施形態に係る情報処理装置の処理手順の一例を示すフローチャート。
【図１８】マニュアルが表示されたサブディスプレイの画面の一例を示す。
【図１９】第５の実施形態に係る情報処理装置の処理手順の一例を示すフローチャート。
【図２０】タスク切り替えランチャーが起動された際のサブディスプレイの画面の一例を示す図。
【図２１】第６の実施形態に係る情報処理装置の処理手順の一例を示すフローチャート。
【図２２】ゲームをプレイするためのコントローラが表示された際のサブディスプレイの画面の一例を示す図。
【図２３】汎用な機能を提供するユーザインタフェースが表示された際のサブディスプレイの画面の一例を示す図。
【図２４】第７の実施形態に係る情報処理装置の処理手順の一例を示すフローチャート。
【図２５】サブディスプレイ上にジョイスティックが置かれた状態の一例を示す図。
【図２６】第８の実施形態に係る情報処理装置の処理手順の一例を示すフローチャート。
【図２７】第９の実施形態に係る情報処理装置の処理手順の一例を示すフローチャート。
【図２８】サブディスプレイの機能がオフされる領域が同定に変更される場合の情報処理装置の処理手順の一例を示すフローチャート。
【図２９】第１０の実施形態に係る情報処理装置においてメインディスプレイが開かれた状態の一例を示す図。
【図３０】情報処理装置においてメインディスプレイが閉じられた状態の一例を示す図。
【図３１】情報処理装置１０の処理手順の一例を示すフローチャート。
【図３２】メインディスプレイが閉じられた状態においてサブディスプレイの一部のみが露出された状態の一例を示す図。
【図３３】メインディスプレイが閉じられた状態においてサブディスプレイ及びキーボードの一部が露出された状態の一例を示す図。
【図３４】第１１の実施形態に係る情報処理装置について説明するための図。
【図３５】本体の上面が第１ディスプレイ及び第２ディスプレイで覆われた状態の一例を示す図。
【図３６】メインディスプレイが閉じられた状態から第２ディスプレイの表示面が露出される位置まで当該第２ディスプレイを回動した状態の一例を示す図。
【図３７】情報処理装置の処理手順の一例を示すフローチャート。
【図３８】第１２の実施形態に係る情報処理装置について説明するための図。
【図３９】本体の上面が第１ディスプレイ及び第２ディスプレイで覆われた状態の一例を示す図。
【図４０】メインディスプレイが閉じられた状態から第２ディスプレイの表示面が露出される位置まで当該第２ディスプレイを回動した状態の一例を示す図。
【図４１】情報処理装置の処理手順の一例を示すフローチャート。
【図４２】第１３の実施形態に係る情報処理装置を第１形態で使用する場合について示す図。
【図４３】本実施形態に係る情報処理装置を第２形態で使用する場合について示す図。
【図４４】情報処理装置の処理手順の一例を示すフローチャート。
【発明を実施するための形態】
【０００９】
以下、図面を参照して、実施形態について説明する。  
（第１の実施形態）
まず、図１を参照して、第１の実施形態に係る情報処理装置の概要について説明する。本実施形態に係る情報処理装置は、ユーザによって使用される例えばノートブック型のパーソナルコンピュータ（以下、ノートＰＣと表記）として実現され得る。
【００１０】
ここで、図１Ａに示すように、ノートＰＣ１においては、当該ノートＰＣ１の本体の上面に配置されたキーボードの手前に位置するパームレスト部にはタッチパッド（トラックパッド）２が配置されている。
【００１１】
これに対して、本実施形態に係る情報処理装置（ノートＰＣ）１０においては、図１Ｂに示すように、パームレスト部にサブディスプレイ１１が配置される。なお、このディスプレイ１１は、画面に対するユーザの指や手のひら、あるいはペン（スタイラス）等の外部近接物の接触位置を検出可能なタッチセンサ（タッチパネル）を有するタッチパネルディスプレイである。なお、接触とは直接接触する場合の他、検出可能な範囲に近接している場合も含む。
【００１２】
本実施形態の構成によれば、上記した一般的なノートＰＣ１のようにパームレスト部にタッチパッドを配置する構成と比較して、よりパームレスト部を有効に活用することが可能となる。
【００１３】
具体的には、パームレスト部に配置されたディスプレイ（以下、サブディスプレイと表記）１１はユーザの接触位置を検出可能であるため、当該サブディスプレイ１１を用いてタッチパッドと同様の機能を実現することが可能である。
【００１４】
更に、サブディスプレイ１１が設けられていることにより、後述するメインディスプレイとともにマルチディスプレイを実現することも可能である。マルチディスプレイによれば、例えばサブディスプレイ１１及びメインディスプレイの各々に異なる画面を表示することにより、情報処理装置１０における表示領域を拡大するようなことが可能となる。
【００１５】
この場合、サブディスプレイ１１には、例えば情報処理装置１０上で動作する各種ソフトウェア（アプリケーションプログラム）において定義されているショートカットキーまたはコントロールキー等が表示されてもよい。
【００１６】
更に、サブディスプレイ１１は、図２に示すように例えば情報処理装置１０を使用するユーザの指紋を認証する機能（指紋認証機能）を実現するための指紋センサを有していてもよい。
【００１７】
また、図３に示すように、上記したタッチセンサを用いてサブディスプレイ１１上でのユーザの指またはペンの動きの軌跡を検出することによって、当該ユーザによって手書きされた文字または図形等の入力（以下、手書き入力と表記）を受け付けることも可能である（手書き入力機能）。なお、このような手書き入力は、例えばＰＤＦ形式のファイルにおける署名等で利用することができる。
【００１８】
更に、図４に示すように、サブディスプレイ１１がパームレスト部の全体にわたって配置されている場合において、当該サブディスプレイ１１における表示領域または手書き入力領域等の範囲（大きさ）を、適宜、調整するようなことも可能である（範囲調整機能）。
【００１９】
本実施形態においては、パームレスト部にサブディスプレイ（タッチパネルディスプレイ）１１を配置することによって、上記した様々な機能を実現してユーザに提供することが可能となる。
【００２０】
図５は、本実施形態に係る情報処理装置（ノートＰＣ）１０の外観を示す斜視図である。図５に示す情報処理装置１０は、例えば薄い箱型の筐体を有する情報処理装置本体（以下、単に本体と表記）１０ａを備える。
【００２１】
図５に示すように、本体１０ａには、メインディスプレイ１２が取り付けられている。具体的には、メインディスプレイ１２は、本体１０ａの上面が露出される位置から本体１０ａの上面がメインディスプレイ１２で覆われる位置までの間を回動することができるように本体１０ａに取り付けられている。
【００２２】
メインディスプレイ１２は、例えば液晶表示装置（ＬＣＤ：Liquid Crystal Display）であるが、有機エレクトロルミネッセンス（ＥＬ）表示装置、マイクロＬＥＤ（μＬＥＤ）表示装置等の他の表示装置であってもよい。また、メインディスプレイ１２は、サブディスプレイ１１と同様にタッチセンサを有するディスプレイ（タッチパネルディスプレイ）であってもよい。
【００２３】
一方、本体１０ａの上面にはキーボード１３が配置されており、情報処理装置１０を使用するユーザから見てキーボード１３の手前側に位置するパームレスト部には上記したサブディスプレイ１１が配置されている。なお、パームレスト部は、キーボード１３が使用される際にユーザの手のひらまたは手首（パーム）が載置される部分（領域）である。
【００２４】
図６は、情報処理装置１０のシステム構成の一例を示す。図６に示すように、情報処理装置１０は、上記したサブディスプレイ１１、メインディスプレイ１２及びキーボード１３に加えて、メインＣＰＵ（メイン演算処理部）１４、メインスイッチ１５、サブＣＰＵ（サブ演算処理部）１６、サブスイッチ１７及びバッテリ１８等を備える。
【００２５】
なお、サブディスプレイ１１には、上記したようにタッチセンサ１１１が内蔵されているものとする。また、図６においては、例えば主メモリ及び不揮発性メモリ等の記憶装置や他の各種基板等については省略されている。
【００２６】
メインＣＰＵ１４は、情報処理装置１０の各コンポーネントの動作を制御するように構成されたプロセッサである。メインＣＰＵ１４は、例えば不揮発性メモリから主メモリにロードされるオペレーティングシステム（以下、メインＯＳと表記）１４ａ及び各種アプリケーションプログラム等のソフトウェアを実行する。
【００２７】
メインスイッチ１５は、情報処理装置１０を後述するメインディスプレイモードで動作させるためのスイッチである。
【００２８】
サブＣＰＵ１６は、主にサブディスプレイ１１の動作を制御するように構成されたプロセッサである。サブＣＰＵ１６は、例えば不揮発性メモリから主メモリにロードされるオペレーティングシステム（以下、サブＯＳと表記）１６ａ及び各種アプリケーションプログラム等のソフトウェアを実行する。
【００２９】
サブスイッチ１７は、情報処理装置１０を後述するサブディスプレイモードで動作させるためのスイッチである。
【００３０】
バッテリ１８は、情報処理装置１０を動作させるための電力を蓄える蓄電池である。情報処理装置１０は、バッテリ１８に蓄えられた電力（バッテリ１８から供給される電力）によって動作することができる。情報処理装置１０は、例えばＡＣアダプタ等の外部電源装置から供給される電力で動作することも可能である。なお、図６乃至８において、バッテリ１８からメインＣＰＵ１４、サブＣＰＵ１６に電力が供給されるように記載しているが、メインディスプレイ１２、サブディスプレイ１１、キーボード１３及びその他のブロックにはバッテリ１８から電力を供給してもよい。
【００３１】
なお、本実施形態において、上記したメインＯＳ１４ａ及びサブＯＳ１６ａは、異なるオペレーティングシステムであるものとする。具体的には、メインＯＳ１４ａとしてはＷｉｎｄｏｗｓ（登録商標）、サブＯＳ１６ａとしてはＡｎｄｒｏｉｄ（登録商標）等を用いることができる。このメインＯＳ１４ａ及びサブＯＳ１６ａは一例であるが、サブＯＳ１６ａは、メインＯＳ１４ａと比較して容量の少ない（つまり、軽量あるいは処理負荷が小さい）ＯＳであるものとする。
【００３２】
また、上記したようにメインＣＰＵ１４及びサブＣＰＵ１６が利用する記憶装置等は、当該メインＣＰＵ１４及びサブＣＰＵ１６の各々に対して設けられていてもよいし、当該メインＣＰＵ１４及びサブＣＰＵ１６に共通して設けられていてもよい。
【００３３】
以下、本実施形態に係る情報処理装置１０の動作について説明する。本実施形態において、情報処理装置１０は、上記したメインディスプレイモード及びサブディスプレイモードで動作することができる。
【００３４】
まず、図７を参照して、情報処理装置１０がメインディスプレイモードで動作する場合について説明する。
【００３５】
情報処理装置１０をメインディスプレイモードで動作させる場合、ユーザは、メインスイッチ１５をオン状態にする。この場合、バッテリ１８から供給される電力に基づいてメインＣＰＵ１４が動作し、メインＣＰＵ１４は、メインＯＳ１４ａを起動する。
【００３６】
これにより、メインＣＰＵ１４は、メインＯＳ１４ａ上で各種アプリケーションプログラム等を実行することが可能となり、メインディスプレイ１２を制御することによって、当該アプリケーションプログラムに従った画面をメインディスプレイ１２に表示することができる。
【００３７】
また、キーボード１３を用いたユーザによる入力は、メインディスプレイ１２に表示される画面に反映される。
【００３８】
更に、メインＣＰＵ１４は、サブディスプレイ（タッチパネルディスプレイ）１１を制御することによって、タッチパッドと同様の機能を実現することができる。この場合、ユーザは、サブディスプレイ１１上で例えば指をスライドさせることによって、メインディスプレイ１２に表示された画面上のポインタを操作することができる。なお、メインＣＰＵ１４は、サブディスプレイ（タッチパネルディスプレイ）１１の機能を停止した状態でメインディスプレイ１２のみで表示させることもできる。
【００３９】
これによれば、情報処理装置１０をメインディスプレイモードで動作させることによって、ユーザは、情報処理装置１０を一般的なノートＰＣと同様に使用することが可能となる。
【００４０】
なお、サブディスプレイ１１は、メインＣＰＵ１４（メインＯＳ１４ａ）の指示に従って、タッチパッド以外の機能を実現するように動作してもよい。
【００４１】
具体的には、サブディスプレイ１１は、例えば上記したようにメインディスプレイ１２とともにマルチディスプレイとして動作してもよい。
【００４２】
また、サブディスプレイ１１が指紋センサを有している場合、サブディスプレイ１１は、例えばメインＯＳ１４ａの起動時または特定のアプリケーションプログラムの実行時等において、指紋認証機能を用いたユーザ認証処理が実行されるように動作してもよい。
【００４３】
また、メインＣＰＵ１４によって例えば文書作成アプリケーションプログラム等が実行されている場合、サブディスプレイ１１は、手書き入力を受け付けるように動作してもよい。
【００４４】
なお、上記したサブディスプレイ１１を用いて実現可能な各種機能は、例えば情報処理装置１０を使用するユーザの指示によって切り替えられてもよいし、メインＣＰＵ１４によって実行されるアプリケーションプログラムの種別等に応じて自動的に切り替えられてもよい。
【００４５】
次に、図８を参照して、情報処理装置１０がサブディスプレイモードで動作する場合について説明する。
【００４６】
情報処理装置１０をサブディスプレイモードで動作させる場合、ユーザは、サブスイッチ１７をオン状態にする。この場合、バッテリ１８から供給される電力に基づいてサブＣＰＵ１６が動作し、サブＣＰＵ１６は、サブＯＳ１６ａを起動する。
【００４７】
これにより、サブＣＰＵ１６は、サブＯＳ１６ａ上で各種アプリケーションプログラム等を実行することが可能となり、サブディスプレイ１１を制御することによって、当該アプリケーションプログラムに従った画面をサブディスプレイ１１に表示することができる。なお、サブＣＰＵ１６はメインディスプレイ１２とサブディスプレイ１１の両方を制御するようにしてもよいし、メインディスプレイ１２のみを制御するようにしてもよいし、サブディスプレイ１１のみを制御するようにしてもよい。
【００４８】
ここで、情報処理装置１０がサブディスプレイモードで動作する場合には、例えばメモを取る等の機能（以下、メモ機能と表記）を実現するアプリケーションプログラムがサブＣＰＵ１６によって実行されるものとする。
【００４９】
図９Ａは、メモ機能を実現するアプリケーションプログラムが実行された場合にサブディスプレイ１１に表示される画面（以下、メモ画面と表記）の一例を示す。図９Ａに示すように、サブディスプレイ１１に表示されるメモ画面には、手書き入力領域１１ａ及びメモ表示領域１１ｂが設けられている。
【００５０】
ユーザは、手書き入力領域１１ａに対してメモすべき内容（文字列）を手書き入力することが可能である。手書き入力領域１１ａにおいて手書き入力された文字列は、例えば文字認識処理によってテキストに変換されるものとする。このようにテキストに変換されたユーザのメモは、メモ表示領域１１ｂに表示される。この場合、タッチセンサ１１１にてペン先を検出し、検出した位置を表示させることで手書き入力が行われる。
【００５１】
上記したように情報処理装置１０がサブディスプレイモードで動作する場合、ユーザは、例えばサブディスプレイ１１を介してメモを取るようなことが可能である。
【００５２】
なお、メモ表示領域１１ｂに表示されたメモは、情報処理装置１０に備えられている不揮発性メモリ等に保存することができるものとする。このようなメモは、後に情報処理装置１０がメインディスプレイモードで動作する際にメインディスプレイ１２に表示されてもよいし、メインＣＰＵ１４によって実行される各種アプリケーションプログラムにおける処理に利用されてもよい。
【００５３】
また、図９Ａにおいては、手書き入力された内容がテキストに変換されるものとして説明したが、当該手書き入力された文字列（メモ）がそのまま画像等として保存されても構わない。また、図９Ａにおいてはペンによる手書き入力が示されているが、当該手書き入力はユーザの指によって行われても構わない。
【００５４】
なお、図９Ａにおいてはユーザが右利きである場合について示されているが、例えばユーザが左利きである場合には、図９Ｂに示すように手書き入力領域１１ａが左側に設けられ、メモ表示領域１１ｂが右側に設けられるようにしてもよい。この図９Ａ及び図９Ｂに示す画面における表示は、例えばユーザが右利きであるかまたは左利きであるかを設定することによって変更可能としてもよい。あるいは、サブディスプレイ１１に設けられたタッチセンサ１１１にてユーザの手のひらの位置及び形状を検出することによりユーザが右利きであるか左利きであるかを判別してもよい。
【００５５】
ここで、情報処理装置１０がサブディスプレイモードで動作する場合であっても、バッテリ１８からの電力をキーボード１３に供給することによって、当該キーボード１３を利用可能としてもよい。この場合、ユーザは、キーボード１３を操作することによってメモを取ることができる。
【００５６】
なお、上記したようにサブディスプレイ１１はパームレスト部に配置されているため、キーボード１３を使用している間は当該サブディスプレイ１１の一部の領域は手のひらまたは手首で覆われることになる。このため、例えば情報処理装置１０がサブディスプレイモードで動作している際にキーボード１３を用いてメモを取る場合には、図１０に示すように、ユーザの手のひらまたは手首で覆われていない領域にメモ（文字列）が表示されるようにしてもよい。なお、ユーザの手のひらまたは手首で覆われていない領域とは、サブディスプレイ１１が有するタッチセンサ１１１によってタッチが検出されていない領域である。
【００５７】
また、キーボード１３を使用している状態（つまり、サブディスプレイ１１の領域のうちの一部がユーザの手のひらまたは手首で覆われている状態）と、サブディスプレイ１１に対してユーザの指やペンによって手書き入力等の操作が行われている状態とは、サブディスプレイ１１に対する接触面積の大小により判別可能である。手のひらの接触の有無を判別することでユーザーの指やペンによる接触のみの操作を受け付けることができるようになるパームリジェクション機能を有することができる。
【００５８】
これによれば、例えばサブディスプレイ１１に対する接触面積に基づいてキーボード１３を使用している状態が解消されたと判別された場合には、キーボード１３が使用されていないものとして、サブディスプレイ１１の表示を図１０に示すキーボード入力用のものから図９に示す手書き入力用のものに変更するようにしてもよい。同様に、キーボード１３を使用している状態となったと判別された場合には、サブディスプレイ１１の表示を手書き入力用のものからキーボード入力用のものに変更してもよい。
【００５９】
なお、このようなサブディスプレイ１１の表示の変更は、メインＣＰＵ１４によってサブディスプレイ１１が制御される場合においても適用可能である。
【００６０】
上記したように情報処理装置１０がサブディスプレイモードで動作する場合には、情報処理装置１０のメインＣＰＵ１４（つまり、メインＯＳ１４ａ）を動作させることなく、メモ機能を利用してメモを取ることが可能となる。
【００６１】
なお、サブスイッチ１７がオン状態とされた際にメインディスプレイ１２に電力を供給することによって、サブディスプレイモードでの動作時にメインディスプレイ１２を利用可能とすることも可能である。
【００６２】
ところで、メモはユーザが必要なときにすぐに取らなければならない場合が多いため、上記したメモ機能は即座に利用可能な状況にあることが好ましい。
【００６３】
このため、本実施形態において上記したサブスイッチ１７は主にオン状態とされており、情報処理装置１０が使用されていない場合または情報処理装置１０がメインディスプレイモードで動作している場合、サブＣＰＵ１６はスリープ状態にあるものとする。これによれば、例えばユーザがメモを取りたい場合には、サブスイッチ１７を押すまたはサブディスプレイ１１をタッチする等の簡易な操作でサブＣＰＵ１６を早期に復帰させ、即座にメモ機能を利用することが可能となる。
【００６４】
この場合、セキュリティ上の観点から、サブディスプレイ１１が有する指紋センサを用いた指紋認証処理（ユーザ認証処理）が実行されるようにしてもよい。
【００６５】
ここではサブディスプレイモード時にはメモ機能を実現するアプリケーションプログラムが実行されるものとして説明したが、他のアプリケーションプログラムが実行されても構わない。なお、サブＯＳ１６ａ上で実行可能なアプリケーションプログラムは、例えば独自マーケットから必要に応じてダウンロード（インストール）して使用することが可能であるものとする。なお、このようなアプリケーションプログラムのダウンロードは、例えば情報処理装置１０がメインディスプレイモードで動作している場合に行われても構わない。
【００６６】
上記したように本実施形態においては、メインディスプレイ（第１ディスプレイ）１２が取り付けられる本体１０ａの上面にキーボード１３が配置され、当該キーボード１３の手前側に位置するパームレスト部にサブディスプレイ（第２ディスプレイ）１２が配置される構成により、例えばノートＰＣのような情報処理装置１０のパームレスト部を有効に活用することが可能となる。
【００６７】
なお、サブディスプレイ１１は、当該サブディスプレイ１１に表示された画面に対するユーザの接触位置（指またはペンの接触位置）を検出可能なタッチセンサ１１１を有する。タッチセンサ１１１は例えば静電容量を用いた相互容量検出型あるいは自己容量検出型、あるいは光学式タッチセンサ、抵抗被膜式タッチセンサ等を用いることができる。これによれば、ユーザは、パームレスト部に配置されたサブディスプレイ１１によって実現される各種機能を利用することができる。
【００６８】
具体的には、サブディスプレイ１１は、上記したようにタッチパッドとして利用されてもよいし、マルチディスプレイの一部として用いられてもよい。また、サブディスプレイ１１に指紋センサが内蔵されている場合には指紋認証が行われるようにしてもよいし、更に、ユーザによる手書き入力を受け付けるようにしてもよい。
【００６９】
本実施形態においては、パームレスト部にサブディスプレイ１１を配置することによって例えばこれらの機能を実現することが可能であるが、当該サブディスプレイ１１は、これらのうちの少なくとも１つを実現可能なように構成されていればよいし、例えばこれら以外の機能を実現可能であっても構わない。また、サブディスプレイ１１の一部の領域をタッチパッドとして利用し、他の領域を表示領域として利用するような構成とすることも可能である。
【００７０】
また、本実施形態においては、メインスイッチ１５（第１スイッチ）がオン状態とされた場合（つまり、情報処理装置１０がメインディスプレイモードで動作する場合）には、メインＯＳ１４ａが起動され、サブディスプレイ１１及びメインディスプレイ１２が制御される。また、サブスイッチ１７がオン状態とされた場合（つまり、情報処理装置１０がサブディスプレイモードで動作する場合）には、サブＯＳ１６ａが起動され、サブディスプレイ１１が制御される。
【００７１】
このような構成によれば、情報処理装置１０がメインディスプレイモードで動作する場合、ユーザは、サブディスプレイ１１によって実現される各種機能を利用しながら、情報処理装置１０（メインディスプレイ１２及びキーボード１３等）を通常のノートＰＣとして使用することができる。
【００７２】
一方、情報処理装置１０がサブディスプレイモードで動作する場合、ユーザは、サブディスプレイ１１単体で例えばメモを取る等の機能を利用することが可能である。なお、サブディスプレイモードにおいてはメインＯＳ１４ａよりも軽量のサブＯＳ１６ａが起動されるため、メインディスプレイモード時と比較して、サブディスプレイモード時には低消費電力で情報処理装置１０を使用することが可能である。また、サブＣＰＵ１６の消費電力がメインＣＰＵ１４の消費電力より小さいものを用いることでサブディスプレイモード時に消費電力を削減することもできる。
【００７３】
また、サブＣＰＵ１６をスリープ状態としておくことにより、サブスイッチ１７を押したときサブＣＰＵ１６を起動し、サブＯＳ１６ａを高速で起動することが可能である。これによれば、ユーザは必要なときに即座にメモを取ることが可能となり、利便性が高い。
【００７４】
なお、本実施形態においては、メインディスプレイモードで動作するメインＣＰＵ１４とサブディスプレイモードで動作するサブＣＰＵ１６がそれぞれ備えられているものとして説明したが、メインＣＰＵ１４及びサブＣＰＵ１６が一体として構成され、メインＯＳ１４ａ及びサブＯＳ１６ａが１つのＣＰＵによって実行されるようにしても構わない。
【００７５】
また、本実施形態においては、上記したようにサブディスプレイ１１が指紋センサを有していることにより、情報処理装置１０におけるセキュリティを強化することも可能である。
【００７６】
なお、本実施形態においてはパームレスト部にサブディスプレイ１１が配置されるものとして説明したが、図１１に示すように、サブディスプレイ１１以外に、例えばマウスの左クリックおよび右クリックに相当するボタン２１及び２２がパームレスト部に設けられていてもよい。
【００７７】
また、本実施形態においては、サブディスプレイ１１がパームレスト部全体に配置される例について説明したが、当該サブディスプレイ１１は、例えば図１２に示すようにパームレスト部の一部に配置される構成であってもよい。
【００７８】
更に、本実施形態においては例えば本体１０ａ、サブディスプレイ１１及びメインディスプレイ１２等が一体として構成されるものとして説明したが、図１３に示すように、サブディスプレイ１１を有するサブディスプレイユニットは本体１０ａに対して着脱可能（分離可能）に構成されていてもよい。なお、サブディスプレイユニットには、例えばサブディスプレイ１１、サブＣＰＵ１６及びサブスイッチ１７等が備えられているものとする。このような構成によれば、本体１０ａから離した状態でサブディスプレイ１１（サブディスプレイユニット）を使用することが可能となる。
【００７９】
なお、詳細については省略するが、本体１０ａ及びサブディスプレイユニットが分離可能に構成されている場合には、例えば記憶装置及びバッテリ等が本体１０ａ側及びサブディスプレイユニット側のそれぞれに設けられており、本体１０ａ及びサブディスプレイユニットはそれぞれ独立して動作可能なように構成されているものとする。
【００８０】
また、本体１０ａ及びサブディスプレイユニットが分離された状態であっても、本体１０ａ及びサブディスプレイユニットを接続して使用する場合がある。このような場合、本体１０ａ及びサブディスプレイユニットは、例えば無線ＬＡＮ及びＢｌｕｅｔｏｏｔｈ（登録商標）等によって無線で接続されてもよいし、各種ケーブル等を用いて有線で接続されてもよい。
【００８１】
なお、本実施形態に係る情報処理装置は主にノートＰＣであるものとして説明したが、当該情報処理装置は、例えば他の端末装置に接続されて使用される入力装置として実現されていてもよい。
【００８２】
図１４は、入力装置として実現された情報処理装置の外観の一例を示す。図１４に示すように、情報処理装置１００の上面には、当該情報処理装置１００を使用するユーザから見て手前側にキーボード１３、奥側にサブディスプレイ１１が配置されている。
【００８３】
また、情報処理装置１００のサブディスプレイ１１の更に奥側には、当該情報処理装置１００の左右方向の一端から他端にわたって形成された溝形状を有する保持部１０１が設けられている。情報処理装置１００は、このような保持部１０１により、例えばタブレットＰＣ等の携帯端末装置２００を保持することができる。
【００８４】
また、情報処理装置１００は、保持部１０１に保持された携帯端末装置２００と無線または有線により接続可能（通信可能）に構成されているものとする。
【００８５】
これによれば、ユーザは、情報処理装置１００（キーボード１３）を例えば携帯端末装置２００のキーボード（入力装置）として使用することができる。
【００８６】
なお、サブディスプレイ１１については、上記した情報処理装置１０のサブディスプレイ１１と同様に使用することができる。具体的には、例えば携帯端末装置２００が保持部１０１に保持されている（つまり、情報処理装置１００が携帯端末装置２００と接続されている）場合には、サブディスプレイ１１は、上記したメインディスプレイモード時と同様に動作することができる。一方、例えば携帯端末装置２００が保持部１０１に保持されていない（つまり、情報処理装置１００が携帯端末装置２００と接続されていない）場合には、サブディスプレイ１１は、上記したサブディスプレイモード時と同様に動作することができる。この場合、ユーザは、情報処理装置１００単体で上記したメモ機能等を利用することができる。また、サブディスプレイ１１を着脱可能とし、無線または有線にて情報処理装置１００と通信可能な構成にしてもよい。
【００８７】
図１４に示す例では、情報処理装置１００は携帯端末装置２００のキーボードとして使用されることが想定されているため、キーボード１３が手前側、サブディスプレイ１１が奥側に配置されている。しかしながら、このような配置では、サブディスプレイ１１をタッチパッドとして利用する際の操作性が低い（つまり、タッチパッドとしての利用が難しい）ことが考えられる。この場合、サブディスプレイ１１はタッチパッド以外の機能を利用するために用いられ、タッチパッドの代わりとしてトラックポイント等がキーボード１３に設けられていてもよい。また、サブディスプレイ１１（タッチパッド）を触る際のキーボード１３の誤動作を回避するために、サブディスプレイ１１への指もしくはペンの接触がタッチセンサ１１１によって検出された場合にはキーボード１３の入力を一時的に無効にするようにしてもよい。
【００８８】
なお、情報処理装置１００においても、キーボード１３が奥側、サブディスプレイ１１が手前側に配置されていても構わない。
【００８９】
（第２の実施形態）
次に、第２の実施形態について説明する。なお、本実施形態に係る情報処理装置の外観等については、前述した第１の実施形態と同様であるため、適宜、図５等を用いて説明する。また、本実施形態においては、前述した第１の実施形態と同様の部分についてはその詳しい説明を省略し、当該第１の実施形態と異なる部分について主に述べる。
【００９０】
ここで、前述した第１の実施形態においては、例えばメインスイッチ１５またはサブスイッチ１７をオン状態にすることによって情報処理装置１０を動作させるものとして説明したが、本実施形態においては、メインスイッチ１５及びサブスイッチ１７を用いない場合であっても情報処理装置１０を動作させることが可能な点で、前述した第１の実施形態とは異なる。
【００９１】
図１５は、本実施形態に係る情報処理装置１０のシステム構成の一例を示す。図１５に示すように、情報処理装置１０は、例えばメインＣＰＵ１４及びサブＣＰＵ１６に接続されたセンサ１９を備える。
【００９２】
本実施形態において、センサ１９には、例えばサブディスプレイ１１が有する指紋センサが含まれる。センサ１９が指紋センサである場合には、例えばセンサ１９によって指紋が読み取られた場合にメインＣＰＵ１４（またはサブＣＰＵ１６）を動作させることが可能となる。
【００９３】
なお、例えばサブディスプレイ１１上でメインＣＰＵ１４及びサブＣＰＵ１６の各々に対応する領域を設定しておいた場合には、ユーザが指紋を読み取らせた領域に対応するＣＰＵを動作させるようなことが可能である。このような構成によれば、ユーザは、動作させるＣＰＵ（メインＣＰＵ１４またはサブＣＰＵ１６）を指定することができる。
【００９４】
また、センサ１９が指紋センサである場合には、当該指紋センサによって読み取られる指紋が予め定められた指紋（例えば、ユーザの指紋）であるか否かについての認証処理を実行し、当該認証結果の結果に応じてＣＰＵを動作させるようにしても構わない。
【００９５】
ここではセンサ１９が指紋センサであるものとして説明したが、当該センサ１９として他のセンサが用いられても構わない。
【００９６】
なお、図５において説明したように、情報処理装置１０のメインディスプレイ１２が例えば上記したように本体１０ａの上面が露出される位置から本体１０ａの上面がメインディスプレイ１２で覆われる位置までの間を回動することができるように取り付けられているものとすると、センサ１９は、メインディスプレイ１２が本体１０ａの上面を露出する位置にある状態（つまり、開かれた状態）及びメインディスプレイ１２が本体１０ａの上面を覆う位置にある状態（つまり、閉じられた状態）を検知するセンサであってもよい。
【００９７】
この場合には、例えばメインディスプレイ１２が閉じられた状態から開かれた状態に遷移した場合に、メインＣＰＵ１４（またはサブＣＰＵ１６）を動作させることが可能となる。
【００９８】
なお、例えばメインディスプレイ１２が開かれた状態から閉じられた状態に遷移した場合には、動作しているメインＣＰＵ１４（またはサブＣＰＵ１６）をスリープ状態とするようにしてもよい。
【００９９】
上記したように本実施形態においては、センサ１９を備える構成により、メインスイッチ１５及びサブスイッチ１７を用いることなく情報処理装置１０を動作させることが可能となる。
【０１００】
（第３の実施形態）
次に、第３の実施形態について説明する。なお、本実施形態に係る情報処理装置の外観等については、前述した第１の実施形態と同様であるため、適宜、図５等を用いて説明する。また、本実施形態においては、前述した第１の実施形態と同様の部分についてはその詳しい説明を省略し、当該第１の実施形態と異なる部分について主に述べる。
【０１０１】
ここで、前述した第１の実施形態においては、例えば図７及び図８において説明したように情報処理装置１０がメインディスプレイモードまたはサブディスプレイモードで動作するものとして説明したが、本実施形態においては、情報処理装置１０がメインディスプレイモード及びサブディスプレイモードの両方で動作する（つまり、メインＣＰＵ１４及びサブＣＰＵ１６が同時に動作する）ことが可能な点で、前述した第１の実施形態とは異なる。
【０１０２】
図１６は、本実施形態に係る情報処理装置１０のシステム構成の一例を示す。図１６に示すように、本実施形態に係る情報処理装置１０においては、メインディスプレイ１２は、メインＣＰＵ１４に接続されており、サブＣＰＵ１６には接続されていない。一方、サブディスプレイ１１は、サブＣＰＵ１６に接続されており、メインＣＰＵ１４には接続されていない。
【０１０３】
本実施形態においては、このような構成により、メインディスプレイ１２にはメインＣＰＵ１４によって実行されるメインＯＳ１４ａ及びアプリケーションプログラムに従った画面が表示され、サブディスプレイ１１にはサブＣＰＵ１６によって実行されるサブＯＳ１６ａ及びアプリケーションプログラムに従った画面が表示されるため、ユーザは、メインディスプレイ１２及びサブディスプレイ１１をそれぞれ異なるシステムとして利用することが可能となる。この場合、例えばメインＣＰＵ１４に接続された外付けマウス２０等をユーザが操作することができるようにしても構わない。
【０１０４】
なお、本実施形態は、前述した第１の実施形態等と組み合わせて実現されても構わない。すなわち、情報処理装置１０においては、例えばメインＣＰＵ１４が単独で動作してもよいし、サブＣＰＵ１６が単独で動作してもよいし、メインＣＰＵ１４及びサブＣＰＵ１６がそれぞれ独立して同時に動作してもよい。また、メインＣＰＵ１４を動作させるか、サブＣＰＵ１６を動作させるか、またはメインＣＰＵ１４及びサブＣＰＵ１６の両方を動作させるかについては、ユーザの操作等に応じて切り替えられてもよいし、情報処理装置１０の利用態様等に従って自動的に切り替えられても構わない。
【０１０５】
（第４の実施形態）
次に、第４の実施形態について説明する。なお、本実施形態に係る情報処理装置の外観及びシステム構成等については前述した第１の実施形態と同様であるため、適宜、図５及び図６等を用いて説明する。また、本実施形態においては、前述した第１の実施形態と同様の部分についてはその詳しい説明を省略し、当該第１の実施形態と異なる部分について主に述べる。
【０１０６】
本実施形態においては前述した第１の実施形態に係る情報処理装置１０の具体的な適用例について説明するが、本実施形態は、サブディスプレイ１１にアプリケーションプログラムのマニュアル（使用説明書）が表示される点で、前述した第１の実施形態とは異なる。
【０１０７】
以下、図１７のフローチャートを参照して、本実施形態に係る情報処理装置１０の処理手順について説明する。
【０１０８】
ここでは、本実施形態に係る情報処理装置１０は、メインディスプレイモードまたはサブディスプレイモードで動作しているものとする。なお、「情報処理装置１０がメインディスプレイモードで動作している」とは、メインＣＰＵ１４によってメインＯＳ１４ａが実行されている状態をいう。一方、「情報処理装置１０がサブディスプレイモードで動作している」とは、サブＣＰＵ１６によってサブＯＳ１６ａが実行されている状態をいう。
【０１０９】
ここで、情報処理装置１０が例えばメインディスプレイモードで動作している場合において、メインＣＰＵ１４によって所定のアプリケーションプログラム（以下、対象アプリケーションと表記）が実行されている場合を想定する。
【０１１０】
この場合、情報処理装置１０のメインディスプレイ１２には、対象アプリケーションに従った画面が表示されている。
【０１１１】
ここで、メインＣＰＵ１４は、情報処理装置１０に対するユーザの操作に基づいて、上記したマニュアルを表示する旨の指示（以下、マニュアル表示指示と表記）がされたか否かを判定する（ステップＳ１）。
【０１１２】
なお、マニュアル表示指示をするためのユーザの操作は、例えば情報処理装置１０の本体１０ａの上面に配置されているキーボード１３の特定のキーを押下する操作または当該本体１０ａに設けられている特定のボタン（ハードボタン）を押下する操作等を含む。また、マニュアル表示指示をするためのユーザの操作は、例えばメインディスプレイ１２に表示されている画面上のポインタを用いて当該画面に設けられているボタン（ヘルプボタン等）を指定する操作等であってもよい。
【０１１３】
マニュアル表示指示がされていないと判定された場合（ステップＳ１のＮＯ）、処理は終了される。
【０１１４】
一方、マニュアル表示指示がされたと判定された場合（ステップＳ１のＹＥＳ）、メインＣＰＵ１４は、サブディスプレイ１１が点灯しているか否かを判定する（ステップＳ２）。
【０１１５】
なお、「サブディスプレイ１１が点灯している」とは、サブディスプレイ１１に電源が供給されており、サブディスプレイ１１に各種画面を表示可能な状態（つまり、サブディスプレイ１１がオンされた状態）をいう。
【０１１６】
サブディスプレイ１１が点灯していないと判定された場合（ステップＳ２のＮＯ）、メインＣＰＵ１４は、サブディスプレイ１１を点灯する（ステップＳ３）。
【０１１７】
一方、サブディスプレイ１１が点灯していると判定された場合（ステップＳ２のＹＥＳ）ステップＳ３の処理は実行されない。
【０１１８】
次に、メインＣＰＵ１４は、対象アプリケーションのマニュアルをサブディスプレイ１１に表示する（ステップＳ４）。対象アプリケーションのマニュアルは、当該対象アプリケーションにおいて予め管理されており、当該対象アプリケーションから取得可能であるものとする。
【０１１９】
なお、対象アプリケーションのマニュアルは、情報処理装置１０の内部で管理されていてもよいし、当該情報処理装置１０の外部から取得されてもよい。
【０１２０】
ここで、図１８は、マニュアルが表示されたサブディスプレイ１１の画面の一例を示す。図１８に示すように、サブディスプレイ１１にマニュアルが表示された場合、ユーザは、当該マニュアルを確認しながら、メインディスプレイ１２を介して対象アプリケーションを利用することが可能となる。
【０１２１】
なお、図１７においてはユーザの指示（マニュアル表示指示）がある場合にサブディスプレイ１１に対象アプリケーションのマニュアルを表示するものとして説明したが、例えばステップＳ１の処理を省略し、対象アプリケーションが起動（実行）された際に自動でステップＳ２の処理が実行されるようにしてもよい。
【０１２２】
また、上記したように情報処理装置１０がメインディスプレイモードで動作している場合において、例えばメインＣＰＵ１４による対象アプリケーションの実行中に異常が発生した場合、サブＣＰＵ１６を動作させ、当該サブＣＰＵ１６の制御によって当該対象アプリケーションのマニュアルがサブディスプレイ１１に表示されるような構成とすることも可能である。
【０１２３】
ここでは、情報処理装置１０がメインディスプレイモードで動作している場合について説明したが、当該情報処理装置１０がサブディスプレイモードで動作している場合には、上記したステップＳ１〜Ｓ４の処理はサブＣＰＵ１６によって実行されればよい。
【０１２４】
また、上述した第３の実施形態において説明したように、メインＣＰＵ１４及びサブＣＰＵ１６が同時に動作している場合には、メインＣＰＵ１４及びサブＣＰＵ１６が連携することによって、例えばステップＳ１の処理をメインＣＰＵ１４が実行し、ステップＳ２以降の処理をサブＣＰＵ１６が実行するようにしてもよい。
【０１２５】
上記したように本実施形態においては、サブディスプレイ１１に対象アプリケーションのマニュアルを表示する構成により、例えばサブディスプレイ１１に表示されたマニュアルを確認しながらメインディスプレイ１２を介して対象アプリケーションを利用するようなことが可能となり、パームレスト部を有効に活用することができる。
【０１２６】
（第５の実施形態）
次に、第５の実施形態について説明する。なお、本実施形態に係る情報処理装置の外観及びシステム構成等については前述した第１の実施形態と同様であるため、適宜、図５及び図６等を用いて説明する。また、本実施形態においては、前述した第１の実施形態と同様の部分についてはその詳しい説明を省略し、当該第１の実施形態と異なる部分について主に述べる。
【０１２７】
本実施形態においては前述した第１の実施形態に係る情報処理装置１０の具体的な適用例について説明するが、本実施形態は、サブディスプレイ１１に後述するタスク切り替えランチャーに従った画面が表示される点で、前述した第１の実施形態とは異なる。
【０１２８】
以下、図１９のフローチャートを参照して、本実施形態に係る情報処理装置１０の処理手順について説明する。
【０１２９】
ここでは、本実施形態に係る情報処理装置１０は、メインディスプレイモードまたはサブディスプレイモードで動作しているものとする。
【０１３０】
ここで、情報処理装置１０が例えばメインディスプレイモードで動作している場合において、メインＣＰＵ１４によって複数のアプリケーションプログラム（以下、対象アプリケーションと表記）が実行されている場合を想定する。
【０１３１】
この場合、情報処理装置１０のメインディスプレイ１２には、例えば複数の対象アプリケーションのうちの少なくとも１つの対象アプリケーションに従った画面が表示されている。
【０１３２】
ここで、メインＣＰＵ１４は、情報処理装置１０に対するユーザの操作に基づいて、上記したタスク切り替えランチャーを起動する旨の指示（以下、ランチャー起動指示と表記）がされたか否かを判定する（ステップＳ１１）。
【０１３３】
なお、ランチャー起動指示をするためのユーザの操作は、上述した第４の実施形態において説明したマニュアル表示指示をするためのユーザの操作と同様であるため、ここではその詳しい説明を省略する。
【０１３４】
ランチャー起動指示がされていないと判定された場合（ステップＳ１１のＮＯ）、処理は終了される。
【０１３５】
一方、ランチャー起動指示がされたと判定された場合（ステップＳ１１のＹＥＳ）、上述した図１７に示すステップＳ２及びＳ３の処理に相当するステップＳ１２及びＳ１３の処理が実行される。
【０１３６】
ステップＳ１２においてサブディスプレイ１１が点灯していると判定された場合（ステップＳ１２のＹＥＳ）またはステップＳ１３の処理が実行された場合、メインＣＰＵ１４は、タスク切り替えランチャーを起動する（ステップＳ１４）。
【０１３７】
なお、タスク切り替えランチャーは、上記したように例えばメインＣＰＵ１４によって複数の対象アプリケーションが実行されている場合において、メインディスプレイ１２に画面を表示する対象アプリケーションを切り替えるために用いられるアプリケーションプログラム（ソフトウェア）である。
【０１３８】
タスク切り替えランチャーが起動された場合、サブディスプレイ１１には、例えばメインＣＰＵ１４によって実行されている複数の対象アプリケーションの各々に従った画面の一覧が表示される。
【０１３９】
ここで、図２０を参照して、メインディスプレイ１２に表示される画面を切り替える場合について具体的に説明する。図２０は、タスク切り替えランチャーが起動された際のサブディスプレイ１１の画面の一例を示す。
【０１４０】
ここでは、メインＣＰＵ１４によって第１対象アプリケーション及び第２対象アプリケーションを含む複数の対象アプリケーションが実行されており、メインディスプレイ１２には例えば第１対象アプリケーションに従った画面が表示されているものとする。
【０１４１】
上記したようにタスク切り替えランチャーが起動された場合、サブディスプレイ１１には、図２０に示すように複数の対象アプリケーションの各々に従った画面の一覧が表示される。この場合、ユーザは、サブディスプレイ１１上で左右方向にスワイプ操作（指をスライドさせる操作）を行うことによって、複数の対象アプリケーションの各々に従った画面の一覧の中から所望の画面を選択する（サブディスプレイ１１の中央に表示させる）ことができる。ここでは、例えば第２対象アプリケーションに従った画面がサブディスプレイ１１の中央に表示された場合を想定する。
【０１４２】
この場合、第２対象アプリケーションに従った画面（第２対象アプリケーションが実行されることによって表示される画面）がサブディスプレイ１１の中央に表示された（つまり、当該画面が選択された）状態において、ユーザは、当該画面に対して上方向のフリック操作（指をはじくような操作）を行うことができる。このような操作が行われた場合、メインディスプレイ１２に表示されている第１対象アプリケーションに従った画面は第２対象アプリケーションに従った画面に切り替えられる。
【０１４３】
なお、図２０に示すサブディスプレイ１１の画面（タスク切り替えランチャーが実行された画面）は一例であり、メインディスプレイ１２に表示される画面を切り替えることが可能であれば、他の形式の画面（ＵＩ）が表示されても構わない。
【０１４４】
ここでは、情報処理装置１０がメインディスプレイモードで動作している場合について説明したが、当該情報処理装置１０がサブディスプレイモードで動作している場合には、上記したステップＳ１１〜Ｓ１４の処理はサブＣＰＵ１６によって実行されればよい。
【０１４５】
また、上述した第３の実施形態において説明したように、メインＣＰＵ１４及びサブＣＰＵ１６が同時に動作している場合には、メインＣＰＵ１４及びサブＣＰＵ１６が連携することによって、例えばステップＳ１１の処理をメインＣＰＵ１４が実行し、ステップＳ１２以降の処理をサブＣＰＵ１６が実行するようにしてもよい。
【０１４６】
上記したように本実施形態においては、タスク切り替えランチャーが起動されることによってサブディスプレイ１１を介してメインディスプレイ１２に表示される画面を切り替えることを可能とする構成により、煩雑な操作をすることなく所望の画面をメインディスプレイ１２に表示させて対象アプリケーションを利用することが可能となり、パームレスト部を有効に活用することができる。
【０１４７】
なお、本実施形態においては、タスク切り替えランチャーを用いて対象アプリケーション（メインＣＰＵ１４等によって実行中のアプリケーションプログラム）に従った画面を切り替えるものとして説明したが、タスク切り替えランチャーが起動された際に例えばメインＣＰＵ１４等によって実行可能なアプリケーションプログラム（すなわち、起動していないアプリケーションプログラム）に対応するアイコンの一覧を表示し、当該一覧の中から起動するアプリケーションプログラムをユーザに選択（指定）させるようにしてもよい。
【０１４８】
また、タスク切り替えランチャーが起動された際に、メインＣＰＵ１４等によって実行中のアプリケーションプログラム及び起動していないアプリケーションプログラムの各々に対するアイコンの全てを一覧として表示するようにしてもよい。
【０１４９】
（第６の実施形態）
次に、第６の実施形態について説明する。なお、本実施形態に係る情報処理装置の外観及びシステム構成等については前述した第１の実施形態と同様であるため、適宜、図５及び図６等を用いて説明する。また、本実施形態においては、前述した第１の実施形態と同様の部分についてはその詳しい説明を省略し、当該第１の実施形態と異なる部分について主に述べる。
【０１５０】
本実施形態においては前述した第１の実施形態に係る情報処理装置１０の具体的な適用例について説明するが、本実施形態は、例えばメインＣＰＵ１４等によって実行されているアプリケーションプログラムにおいて利用可能なユーザインタフェースがサブディスプレイ１１に表示される点で、前述した第１の実施形態とは異なる。
【０１５１】
以下、図２１のフローチャートを参照して、本実施形態に係る情報処理装置１０の処理手順について説明する。
【０１５２】
ここでは、本実施形態に係る情報処理装置１０は、メインディスプレイモードまたはサブディスプレイモードで動作しているものとする。
【０１５３】
ここで、情報処理装置１０が例えばメインディスプレイモードで動作している場合において、メインＣＰＵ１４によって所定のアプリケーションプログラム（以下、対象アプリケーションと表記）が起動された場合を想定する（ステップＳ２１）。
【０１５４】
この場合、メインＣＰＵ１４は、対象アプリケーションが上記したサブディスプレイ１１にユーザインタフェースを表示可能なアプリケーションプログラム（つまり、サブディスプレイ対応アプリケーション）であるか否かを判定する（ステップＳ２２）。なお、サブディスプレイ対応アプリケーションは、アプリケーションプログラムの種別等に従って予め定められており、例えばゲームをプレイすることが可能なアプリケーションプログラム（以下、ゲームアプリケーションと表記）等を含む。
【０１５５】
対象アプリケーションがサブディスプレイ対応アプリケーションであると判定された場合（ステップＳ２２のＹＥＳ）、上述した図１７に示すステップＳ２及びＳ３の処理に相当するステップＳ２３及びＳ２４の処理が実行される。
【０１５６】
ステップＳ２３においてサブディスプレイ１１が点灯していると判定された場合（ステップＳ２３のＹＥＳ）またはステップＳ２４の処理が実行された場合、メインＣＰＵ１４は、対象アプリケーションにおいて利用可能なユーザインタフェースを表示する（ステップＳ２５）。
【０１５７】
なお、上記したように対象アプリケーションがゲームアプリケーションである場合には、当該対象アプリケーションにおいて利用可能なユーザインタフェースとして、例えば図２２に示すような当該ゲームアプリケーションにおいてゲームをプレイするためのコントローラがサブディスプレイ１１に表示される。
【０１５８】
ステップＳ２５においては、例えば対象アプリケーションの利用に供するものであれば、コントローラとして使用されるユーザインタフェース以外のものが表示されても構わない。
【０１５９】
上記したステップＳ２２において対象アプリケーションがサブディスプレイ対応アプリケーションでないと判定された場合（ステップＳ２２のＮＯ）、処理は終了される。この場合、サブディスプレイ１１は非点灯のままであってもよいが、対象アプリケーションがサブディスプレイ対応アプリケーションでないと判定された場合であってもサブディスプレイ１１を点灯し、例えば図２３に示すような汎用な機能を提供するユーザインタフェース（例えば、テンキー等）をサブディスプレイ１１に表示してもよいし、その他、定型文のようなものをサブディスプレイ１１に表示するようにしてもよい。
【０１６０】
ここでは、情報処理装置１０がメインディスプレイモードで動作している場合について説明したが、当該情報処理装置１０がサブディスプレイモードで動作している場合には、上記したステップＳ２１〜Ｓ２５の処理はサブＣＰＵ１６によって実行されればよい。
【０１６１】
また、上述した第３の実施形態において説明したように、メインＣＰＵ１４及びサブＣＰＵ１６が同時に動作している場合には、メインＣＰＵ１４及びサブＣＰＵ１６が連携することによって、例えばステップＳ２１及びＳ２２の処理をメインＣＰＵ１４が実行し、ステップＳ２３以降の処理をサブＣＰＵ１６が実行するようにしてもよい。
【０１６２】
上記したように本実施形態においては、サブディスプレイ１１に対象アプリケーションにおいて利用可能なユーザインタフェース（例えば、ゲームアプリケーションにおいてゲームをプレイするためのコントローラ）を表示する構成により、当該ユーザインタフェースをメインディスプレイ１２に表示する場合と比較して、当該メインディスプレイ１２の画面を有効に活用することができるとともに視認性を向上させることが可能となる。また、本実施形態においては、サブディスプレイ１１を用いてゲームをプレイすること等が可能となるため、操作性を向上させることも可能となる。
【０１６３】
（第７の実施形態）
次に、第７の実施形態について説明する。なお、本実施形態に係る情報処理装置の外観及びシステム構成等については前述した第１の実施形態と同様であるため、適宜、図５及び図６等を用いて説明する。また、本実施形態においては、前述した第１の実施形態と同様の部分についてはその詳しい説明を省略し、当該第１の実施形態と異なる部分について主に述べる。
【０１６４】
本実施形態においては前述した第１の実施形態に係る情報処理装置１０の具体的な適用例について説明するが、本実施形態は、例えばメインＣＰＵ１４等によって実行されているアプリケーションプログラムにおいてサブディスプレイ１１を用いてジョイスティックを利用可能とする点で、前述した第１の実施形態とは異なる。
【０１６５】
以下、図２４のフローチャートを参照して、本実施形態に係る情報処理装置１０の処理手順について説明する。
【０１６６】
ここでは、本実施形態に係る情報処理装置１０は、メインディスプレイモードまたはサブディスプレイモードで動作しているものとする。
【０１６７】
ここで、情報処理装置１０が例えばメインディスプレイモードで動作している場合において、メインＣＰＵ１４によって所定のアプリケーションプログラム（以下、対象アプリケーションと表記）が起動された場合を想定する（ステップＳ３１）。
【０１６８】
この場合、メインＣＰＵ１４は、対象アプリケーションが上記したジョイスティックを利用可能なアプリケーションプログラム（つまり、ジョイスティック対応アプリケーション）であるか否かを判定する（ステップＳ３２）。なお、ジョイスティック対応アプリケーションは、アプリケーションプログラムの種別等に従って予め定められており、例えばゲームをプレイすることが可能なアプリケーションプログラム（以下、ゲームアプリケーションと表記）等が含まれる。
【０１６９】
対象アプリケーションがジョイスティック対応アプリケーションであると判定された場合（ステップＳ３２のＹＥＳ）、メインＣＰＵ１４は、サブディスプレイ１１上にジョイスティックが置かれたか否かを判定する（ステップＳ３３）。
【０１７０】
ここで、図２５は、サブディスプレイ１１上にジョイスティック３００が置かれた状態を示す。
【０１７１】
なお、ジョイスティックとは、ゲームをプレイするためのコントローラとして使用されるレバーによる方向入力が可能なデバイスである。
【０１７２】
図２５に示すようにジョイスティック３００がサブディスプレイ１１上に置かれた場合、メインＣＰＵ１４は、当該サブディスプレイ１１によって検知されるジョイスティックの接触の有無に基づいて、当該サブディスプレイ１１上にジョイスティックが置かれたことを検出することができる。
【０１７３】
再び図２４に戻ると、サブディスプレイ１１上にジョイスティックが置かれたと判定された場合（ステップＳ３３のＹＥＳ）、メインＣＰＵ１４は、サブディスプレイ１１上に置かれたジョイスティックに対するユーザの操作に応じて、上下左右方向の入力を取得する（ステップＳ３４）。
【０１７４】
なお、サブディスプレイ１１（タッチパネル）が静電式と称される方式のものである場合には、サブディスプレイは、ジョイスティックに対するユーザの操作に応じて変化するサブディスプレイ１１と当該ジョイスティックとの接触面積あるいはジョイスティックの各々の部位とサブディスプレイ１１との間の距離を検知することができる。この場合、メインＣＰＵ１４は、サブディスプレイ１１によって検知されたサブディスプレイ１１とジョイスティックとの接触面積あるいはジョイスティックの各々の部位とサブディスプレイ１１との間の距離に基づいて上下左右方向の入力を取得することができる。
【０１７５】
一方、サブディスプレイ１１（タッチパネル）が感圧式と称される方式のものである場合には、サブディスプレイ１１は、ジョイスティックに対するユーザの操作に応じてサブディスプレイ１１に対して生じる感圧を検知することができる。この場合、メインＣＰＵ１４は、サブディスプレイ１１によって検知された感圧に基づいて上下左右方向の入力を取得することができる。
【０１７６】
ステップＳ３４において取得された上下左右方向の入力（つまり、ジョイスティックに対するユーザの操作）は、対象アプリケーションの実行にフィードバックされる（ステップＳ３５）。
【０１７７】
なお、ステップＳ３２において対象アプリケーションがジョイスティック対応アプリケーションでないと判定された場合（ステップＳ３２のＮＯ）、またはステップＳ３３においてサブディスプレイ１１上にジョイスティックが置かれていないと判定された場合（ステップＳ３３のＹＥＳ）、処理は終了される。
【０１７８】
なお、ステップＳ３３においてサブディスプレイ１１上にジョイスティックが置かれていないと判定された場合には、例えばジョイスティックを使用しないユーザインタフェース（例えば、前述した第６の実施形態において説明したゲームをプレイするためのコントローラ）がサブディスプレイ１１に表示されてもよい。
【０１７９】
また、ステップＳ３３においてサブディスプレイ１１上にジョイスティックが置かれていないと判定された場合には、メインディスプレイ１２またはサブディスプレイ１１に警告を表示して、再度ステップＳ３３の処理が実行されるようにしてもよい。
【０１８０】
更に、図２４においては省略されているが、ステップＳ３２において対象アプリケーションがジョイスティック対応アプリケーションであると判定されたもののサブディスプレイ１１が点灯していないような場合には、上述した図１７に示すステップＳ３の処理が実行されることによって、サブディスプレイ１１を点灯させるようにしてもよい。
【０１８１】
なお、本実施形態においては、ステップＳ３１において対象アプリケーションが起動された後に自動的にステップＳ３２の処理が実行されるものとして説明したが、ステップＳ３１の処理が実行された後、情報処理装置１０に対するユーザの操作（例えば、画面に設けられているボタンを指定する操作等）に基づいてステップＳ３２の処理が実行されるようにしてもよい。
【０１８２】
また、ステップＳ３２の処理は、ステップＳ３１の処理が実行された後にサブディスプレイ１１上にジョイスティックが置かれた場合に実行されるようにしてもよい。この場合には、ステップＳ３３の処理は省略されても構わない。
【０１８３】
ここでは、情報処理装置１０がメインディスプレイモードで動作している場合について説明したが、当該情報処理装置１０がサブディスプレイモードで動作している場合には、上記したステップＳ３１〜Ｓ３５の処理はサブＣＰＵ１６によって実行されればよい。
【０１８４】
また、上述した第３の実施形態において説明したように、メインＣＰＵ１４及びサブＣＰＵ１６が同時に動作している場合には、メインＣＰＵ１４及びサブＣＰＵ１６が連携することによって、例えばステップＳ３１、Ｓ３２及びＳ３５の処理をメインＣＰＵ１４が実行し、ステップＳ３３及びＳ３４の処理をサブＣＰＵ１６が実行するようにしてもよい。
【０１８５】
上記したように本実施形態においては、サブディスプレイ１１上に置かれたジョイスティックに対するユーザの操作に基づいて上下左右方向の入力を取得して対象アプリケーション（例えば、ゲームアプリケーション）にフィードバックすることによって、ユーザはジョイスティックを用いた操作が可能となり、対象アプリケーションにおいてゲームをプレイする際の操作性を向上させることが可能となる。
【０１８６】
なお、本実施形態においては単にサブディスプレイ１１上に置かれたジョイスティックを用いた操作が可能となるものとして説明したが、サブディスプレイ１１の一部の領域（例えば、左側の領域）にジョイスティックを置き、他の領域（例えば、右側の領域）に当該ジョイスティックとともに使用されるボタン等が表示されるようにしてもよい。
【０１８７】
（第８の実施形態）
次に、第８の実施形態について説明する。なお、本実施形態に係る情報処理装置の外観及びシステム構成等については前述した第１の実施形態と同様であるため、適宜、図５及び図６等を用いて説明する。また、本実施形態においては、前述した第１の実施形態と同様の部分についてはその詳しい説明を省略し、当該第１の実施形態と異なる部分について主に述べる。
【０１８８】
ここで、前述した第１の実施形態においてはメモ機能を実現するアプリケーションプログラムがサブＣＰＵ１６によって実行されることによってユーザがサブディスプレイ１１を介してメモを取ることが可能であることについて説明したが、本実施形態は、ユーザが取ったメモを異なる形式で保存することができる点で、当該第１の実施形態とは異なる。
【０１８９】
以下、図２６のフローチャートを参照して、本実施形態に係る情報処理装置１０の処理手順について説明する。
【０１９０】
ここでは、本実施形態に係る情報処理装置１０がサブディスプレイモードで動作し、サブＣＰＵ１６によって上記したメモ機能を実現するアプリケーションプログラム（以下、メモアプリケーションと表記）が起動された場合を想定する（ステップＳ４１）。
【０１９１】
この場合、ユーザは、サブディスプレイ１１に対してメモすべき内容（文字列）を手書き入力することが可能である。ユーザによって手書き入力された文字列（以下、手書き文字列と表記）は、サブＣＰＵ１４によって取得される（ステップＳ４２）。ステップＳ４２において、手書き文字列は、例えばサブディスプレイ１１上でのユーザの指またはペンの動きの軌跡を検出することによって取得することができる。
【０１９２】
次に、サブＣＰＵ１４は、ステップＳ４２において取得された手書き文字列をテキストとして保存するか否かを判定する（ステップＳ４３）。なお、手書き文字列を保存する形式としては例えばテキスト及び画像が予め用意されており、当該手書き文字列を保存する形式は、ユーザによって予め設定されていてもよいし、ステップＳ４３の処理が実行される際にユーザによって指定されてもよい。
【０１９３】
手書き文字列をテキストとして保存すると判定された場合（ステップＳ４３のＹＥＳ）、サブＣＰＵ１４は、当該手書き文字列に対して例えば光学文字認識（ＯＣＲ）処理を実行し、当該手書き文字列をテキストに変換する（ステップＳ４４）。
【０１９４】
ステップＳ４４において手書き文字列から変換されたテキストは、ユーザのメモとして例えば不揮発性メモリ等に保存される（ステップＳ４５）。
【０１９５】
一方、手書き文字列をテキストとして保存しないと判定された場合（ステップＳ４３のＮＯ）、サブＣＰＵ１４は、ユーザのメモとして、当該手書き文字列を含む画像を例えば不揮発性メモリ等に保存する（ステップＳ４６）。
【０１９６】
ここでは、メモアプリケーションがサブＣＰＵ１６によって起動（実行）される場合について説明したが、当該メモアプリケーションはメインＣＰＵ１４によって実行されても構わない。この場合には、上記したステップＳ４１〜Ｓ４５の処理はメインＣＰＵ１６によって実行されればよい。
【０１９７】
また、上述した第３の実施形態において説明したように、メインＣＰＵ１４及びサブＣＰＵ１６が同時に動作している場合には、メインＣＰＵ１４及びサブＣＰＵ１６が連携することによって、例えばステップＳ４１及びＳ４２の処理をサブＣＰＵ１６が実行し、ステップＳ４３以降の処理をメインＣＰＵ１４が実行するようにしてもよい。
【０１９８】
上記したように本実施形態においては、メモ機能におけるユーザのメモをユーザの意図する形式で保存することが可能となる。具体的には、ユーザのメモ（手書き文字列）がテキストの形式で保存される場合には、例えば後でメモをテキスト検索するような場合に有用である。一方、ユーザのメモが画像の形式で保存される場合には、文字認識における手書き文字列の誤変換等の影響がないため、当該メモの内容を正確に保存しておくことができる。
【０１９９】
本実施形態においては、ユーザのメモをテキストまたは画像の形式で保存する場合について説明したが、例えばユーザの参照用にユーザのメモを画像として保存するとともに、テキスト検索用にユーザのメモをテキストとしてバックグラウンドで保存するような構成とすることも可能である。具体的には、例えば手書き文字列をテキスト及び画像として保存することがユーザによって予め設定されている場合には、ステップＳ４４及びＳ４５の処理とともにステップＳ４６の処理も併せて実行されればよい。
【０２００】
（第９の実施形態）
次に、第９の実施形態について説明する。なお、本実施形態に係る情報処理装置の外観及びシステム構成等については前述した第１の実施形態と同様であるため、適宜、図５及び図６等を用いて説明する。また、本実施形態においては、前述した第１の実施形態と同様の部分についてはその詳しい説明を省略し、当該第１の実施形態と異なる部分について主に述べる。
【０２０１】
ここで、前述した第１の実施形態に係る情報処理装置１０においてユーザがキーボード１３を操作（使用）している際には、サブディスプレイ１１上に当該ユーザの手のひらまたは手首が置かれた状態となり、当該手のひらまたは手首が置かれたサブディスプレイ１１上の領域については使用されない場合が多い。また、サブディスプレイ１１上にユーザの手のひらまたは手首が置かれた状態においてサブディスプレイ１１の機能（例えば、タッチパネル機能）が有効である場合には、誤動作の原因となり得る。本実施形態は、この点に着目し、ユーザの手のひらまたは手首が置かれた領域についてはサブディスプレイ１１の機能をオフする（無効とする）点で、当該第１の実施形態とは異なる。
【０２０２】
以下、図２７のフローチャートを参照して、本実施形態に係る情報処理装置１０の処理手順について説明する。
【０２０３】
本実施形態においては情報処理装置１０がメインディスプレイモードまたはサブディスプレイモードで動作していればよいが、ここでは、情報処理装置１０が例えばメインディスプレイモードで動作している場合について説明する。なお、サブディスプレイ１１は点灯しているものとする。
【０２０４】
この場合、メインＣＰＵ１４は、キーボード１３が使用されていることによってサブディスプレイ１１上に手のひらまたは手首が置かれているか否かを判定する（ステップＳ５１）。
【０２０５】
なお、ステップＳ５１の処理は、サブディスプレイ１１（タッチパネル）によって接触が検出される範囲の面積に基づいて実行される。すなわち、サブディスプレイ１１によって当該サブディスプレイ１１上の比較的広い範囲（所定範囲以上）において接触が検知された場合には、メインＣＰＵ１４は、サブディスプレイ１１上に手のひらまたは手首が置かれていると判定することができる。一方、サブディスプレイ１１によって当該サブディスプレイ１１上の比較的狭い範囲（所定範囲以下）において接触が検知された場合には、メインＣＰＵ１４は、例えばサブディスプレイ１１上にユーザの指またはペン等が接触しているものとして、手のひらまたは手首が置かれていないと判定することができる。なお、サブディスプレイ１１によって接触が検知されていない場合には、同様にサブディスプレイ１１上に手のひらまたは手首が置かれていないと判定することができる。
【０２０６】
ここで、ペン検出の検知方式としては例えば抵抗膜方式、静電容量方式、及びアクティブ型電磁誘導方式を用いることができる。また、静電容量方式にはパッシブ型静電容量方式、アクティブ型静電容量方式等が用いられる。
【０２０７】
抵抗膜方式は対向して配置された上下の電極がペンあるいは手のひら等による押力により接触することにより外部近接物体の接触の有無を検出する。抵抗膜方式では手のひらにより所定以下の押力が印加された場合には上下の電極が接触しない。この場合、手のひらによる接触の有無は検出しないので、ステップＳ５１の処理を省略する手順を用いてもよい。あるいは手のひらにより所定以上の押力が印加された場合にステップＳ５１の処理を行うようにしてもよい。
【０２０８】
パッシブ型静電容量方式はペンあるいは指、手のひら等と検出電極との間に形成される容量を検知することで外部近接物体の接触の有無を検出する。パッシブ型静電容量方式ではサブディスプレイ１１によって外部近接物体の接触が検出される範囲の面積に基づいてステップＳ５１の処理を実行することができる。
【０２０９】
アクティブ型静電容量方式はペンが出力する電界を電極で検出することでペンによる接触の有無の検出感度を向上させる。アクティブ型静電容量方式はペンから電界を出力するというという点ではパッシブ式静電容量方式とは異なるが、外部近接物体（ペン、指、手のひら等）と検出電極との間に形成される容量を検知するという点ではパッシブ式静電容量方式と同様なので、指あるいは手のひらの接触であるか、ペンの接触であるかの判定を行う場合は、ステップＳ５１における処理で述べたような接触面積による指・手のひらであるかペン入力であるかの判定を行う必要がある。
【０２１０】
アクティブ型電磁誘導方式はペンが出力する磁界を検出することでペンの接触の有無を検出するため、専用のペンのみを検出する。従って、ステップＳ５１における処理にあるような接触面積に応じて指あるいは手のひらであるかペン入力であるかの判定は不要となる。また、アクティブ型電磁誘導方式と静電容量方式を組み合わせることでステップＳ５１の処理は接触面積に応じて指あるいは手のひらであるかペン入力であるかの判定を行うことなく、アクティブ型電磁誘導方式か静電容量方式のいずれの方式で検出したかによって、指あるいは手のひらの接触であるか、ペンの接触であるかを明確に区別できる。例えば、静電容量方式でのみ検出した場合は指あるいは手のひらを検出したと判定し、アクティブ型電磁誘導方式と静電容量方式の両方あるいはアクティブ型電磁誘導方式でのみ検出した場合はペン入力と判定する。
【０２１１】
更に、サブディスプレイ１１上に手のひらまたは手首が置かれているか否かは、例えば本体１０ａ上に設けられた近接センサによる近接物（ユーザの手のひらまたは手首）の検出またはキーボード１３を用いたキー入力の有無に基づいて判定されてもよいし、例えばユーザが所定のハードウェアスイッチ等を押下することによって指示されるようにしてもよい。
【０２１２】
サブディスプレイ１１上に手のひらまたは手首が置かれていると判定された場合（ステップＳ５１のＹＥＳ）、メインＣＰＵ１４は、サブディスプレイ１１上の予め定められた領域における当該サブディスプレイ１１の機能をオフする（ステップＳ５２）。ステップＳ５２においてオフされるサブディスプレイ１１の機能には、例えば表示（ディスプレイ）、接触の検出（タッチパネル、手書き入力）、指紋認証（指紋センサ）等が含まれる。なお、ステップＳ５２においてオフされるサブディスプレイ１１の機能は、これらの一部であってもよいし、全てであってもよいし、変更されてもよい。
【０２１３】
また、サブディスプレイ１１の機能がオフされる予め定められた領域は、例えばキーボード１３を使用する際に手のひらまたは手首が置かれると想定されるサブディスプレイ１１の左右の端から予め定められた位置までの範囲（領域）であってもよいし、サブディスプレイ１１が有するタッチセンサ１１１の数によって定められる領域であってもよいし、メインＣＰＵ１４の負荷等に基づいて定められている領域であってもよい。
【０２１４】
一方、サブディスプレイ１１上に手のひらまたは手首が置かれていないと判定された場合（ステップＳ５１のＮＯ）、サブディスプレイ１１の機能はオフされず、当該サブディスプレイ１１の全画面において機能が有効な状態が維持される。
【０２１５】
なお、図２７に示す処理は定期的に実行されるが、上記したステップＳ５２の処理が実行された後に再び実行された図２７に示す処理において、サブディスプレイ１１上に手のひらまたは手首が置かれていないと判定された場合、オフされていたサブディスプレイ１１の機能は再度オンされるものとする。これにより、サブディスプレイ１１は、全画面において機能が有効な状態に戻ることができる。
【０２１６】
図２７に示す処理においては予め定められた領域においてサブディスプレイ１１の機能がオフされるものとして説明したが、当該サブディスプレイ１１の機能がオフされる領域は動的に変更されても構わない。
【０２１７】
ここで、図２８に示すフローチャートを参照して、サブディスプレイ１１の機能がオフされる領域が動的に変更される場合の情報処理装置１０の処理手順について説明する。
【０２１８】
まず、図２７に示すステップＳ５１の処理に相当するステップＳ６１の処理が実行される。
【０２１９】
ステップＳ６１においてサブディスプレイ１１上に手のひらまたは手首が置かれていると判定された場合（ステップＳ６１のＹＥＳ）、メインＣＰＵ１４は、機能をオフするサブディスプレイ１１上の領域（以下、機能オフ領域と表記）を特定する（ステップＳ６２）。
【０２２０】
上記したようにステップＳ６１の処理がサブディスプレイ１１（タッチパネル）によって接触が検出される範囲の面積に基づいて実行される場合、ステップＳ６２においては、例えば当該接触が検出された範囲を包含する領域を機能オフ領域として特定することができる。
【０２２１】
また、サブディスプレイ１１によって接触が検出された範囲（領域）だけではなく、当該範囲の近傍の領域についてもユーザの手の陰となってサブディスプレイ１１を利用することが困難である場合が多い。このため、ステップＳ６２においては、上記したサブディスプレイ１１によって接触が検出された範囲を包含する領域に加えて、当該接触が検出された範囲にユーザの手のひらまたは手首が置かれている場合に当該ユーザの手の陰となると想定される領域も機能オフ領域として特定するようにしてもよい。
【０２２２】
ステップＳ６２の処理が実行された場合、メインＣＰＵ１４は、サブディスプレイ１１上の機能オフ領域における当該サブディスプレイ１１の機能をオフする（ステップＳ６３）。なお、機能がオフされる領域が動的に変更される場合はステップＳ６１〜６３の処理を所定の時間毎に実施するようにしてもよい。
【０２２３】
図２７及び図２８においては、情報処理装置１０がメインディスプレイモードで動作している場合について説明したが、当該情報処理装置１０がサブディスプレイモードで動作している場合には、図２７及び図２８に示す処理はサブＣＰＵ１６によって実行されればよい。また、上述した第３実施形態において説明したように、メインＣＰＵ１４及びサブＣＰＵ１６が同時に動作している場合には、図２７及び図２８に示す処理はサブＣＰＵ１６によって実行されればよい。
【０２２４】
また、本実施形態においてはサブディスプレイ１１が点灯していればよく、メインディスプレイ１２は使用されていてもよいし、使用されていなくても構わない。
【０２２５】
上記したように本実施形態においては、ユーザの手のひらまたは手首が置かれていると判定された場合にサブディスプレイ１１の一部の領域の機能をオフする構成により、当該サブディスプレイ１１における消費電力を削減することが可能となる。
【０２２６】
（第１０の実施形態）
次に、第１０の実施形態について説明する。なお、本実施形態においては、前述した第１の実施形態と同様の部分についてはその詳しい説明を省略し、当該第１の実施形態と異なる部分について主に述べる。
【０２２７】
前述した第１の実施形態においては情報処理装置１０を使用する際にユーザから見たメインディスプレイ１２の縦方向の長さと本体１０ａの縦方向の長さとは概ね一致するものとして説明したが、本実施形態は、当該メインディスプレイ１２の縦方向の長さが本体１０ａの縦方向の長さよりも短くなるように構成されている点で、前述した第１の実施形態とは異なる。
【０２２８】
なお、前述したようにメインディスプレイ１２は本体１０ａの上面が露出される位置から本体１０ａの上面がメインディスプレイ１２で覆われる位置までの間を回動することができるように本体１０ａに取り付けられている。
【０２２９】
ここで、図２９は、本実施形態に係る情報処理装置１０においてメインディスプレイ１２が本体１０ａの上面を露出する位置にある状態（メインディスプレイ１２が開かれた状態）を示す。一方、図３０は、本実施形態に係る情報処理装置１０においてメインディスプレイ１２が本体１０ａの上面を覆う位置にある状態（メインディスプレイ１２が閉じられた状態）を示す。
【０２３０】
図２９及び図３０に示すように、本実施形態においては、メインディスプレイ１２の縦方向の長さが本体１０ａの縦方向の長さよりも短い。具体的には、メインディスプレイ１２の縦方向の長さは、本体１０ａの上面に配置されているキーボード１３の縦方向の長さと概ね一致するように構成されている。
【０２３１】
本実施形態に係る情報処理装置１０においては、このような構成により、メインディスプレイ１２が閉じられた状態であっても、サブディスプレイ１１が露出された状態となるため、当該サブディスプレイ１１を活用することが可能となる。
【０２３２】
なお、本実施形態に係る情報処理装置１０のシステム構成等については前述した第１の実施形態と同様であるため、適宜、図６等を用いて説明する。
【０２３３】
以下、図３１のフローチャートを参照して、本実施形態に係る情報処理装置１０の処理手順について説明する。
【０２３４】
本実施形態においては情報処理装置１０がメインディスプレイモードまたはサブディスプレイモードで動作していればよいが、ここでは、情報処理装置１０が例えばメインディスプレイモードで動作している場合について説明する。この場合、図３１に示す処理は定期的にメインＣＰＵ１４によって実行される。
【０２３５】
まず、メインＣＰＵ１４は、メインディスプレイ１２が閉じられたか否かを判定する（ステップＳ７１）。なお、「メインディスプレイ１２が閉じられた」とは、上記した図２９に示すメインディスプレイが開かれた状態から図３０に示すメインディスプレイ１２が閉じられた状態に遷移したことをいう。
【０２３６】
本実施形態において、メインディスプレイ１２が閉じられた状態は、例えば情報処理装置１０に設けられている磁気センサまたは物理スイッチ等によって検出することが可能であるものとする。
【０２３７】
メインディスプレイ１２が閉じられていないと判定された場合（ステップＳ７１のＮＯ）、処理は終了される。
【０２３８】
一方、メインディスプレイ１２が閉じられたと判定された場合（ステップＳ７１のＹＥＳ）、メインＣＰＵ１４はスリープ状態に遷移する（ステップＳ７２）。スリープ状態は、消費電力を低減することが可能な待機状態等を含む。この場合、メインディスプレイは非点灯状態（オフ）となる。
【０２３９】
ステップＳ７１においてメインＣＰＵ１４がスリープ状態に遷移した場合、サブＣＰＵ１６が起動される（ステップＳ７３）。
【０２４０】
ここで、ステップＳ７４及びＳ７５の処理が実行される。このステップＳ７４及びＳ７５の処理は上述した図１７に示すステップＳ２及びＳ３の処理と同様であるため、ここではその詳しい説明を省略する。なお、ステップＳ７４及びＳ７５の処理は、サブＣＰＵ１６によって実行される。
【０２４１】
ステップＳ７４においてサブディスプレイ１１が点灯している判定された場合（ステップＳ７４のＹＥＳ）またはステップＳ７５の処理が実行された場合、サブＣＰＵ１６は、サブディスプレイ１１に所定の情報を表示する（ステップＳ７６）。なお、ステップＳ７６においてサブディスプレイ１１に表示される情報には例えばカレンダー、時計及び未読メールの存在を示す情報等が含まれるが、ユーザによって予め指定された他の情報等が含まれていても構わない。
【０２４２】
なお、図３１に示す処理においては、メインＣＰＵ１４がスリープ状態に遷移し、サブＣＰＵ１６が起動されるものとして説明したが、サブＣＰＵ１６を起動することなく、メインＣＰＵ１６がステップＳ７４以降の処理を実行するようにしてもよい。
【０２４３】
ここでは、情報処理装置１０がメインディスプレイモードで動作している場合について説明したが、当該情報処理装置１０がサブディスプレイモードで動作している場合には、図３１に示す処理はサブＣＰＵ１６によって実行されればよい。なお、この場合にはステップＳ７２及びＳ７３の処理は省略される。
【０２４４】
また、上述した第３の実施形態において説明したように、メインＣＰＵ１４及びサブＣＰＵ１６が同時に動作している場合には、例えばステップＳ７１においてメインディスプレイ１２が閉じられたと判定された場合にステップＳ７２においてメインＣＰＵ１４がスリープ状態に遷移し、その後、サブＣＰＵ１６によってステップＳ７４以降の処理が実行されるものとする。
【０２４５】
上記したように本実施形態においては、メインディスプレイ１２の縦方向の長さを本体１０ａの縦方向の長さよりも短くする構成により、当該メインディスプレイ１２が閉じられた状態であってもサブディスプレイ１１に表示された各種情報を確認することが可能となるため、パームレスト部を更に有効に活用することができる。
【０２４６】
なお、本実施形態においては、メインディスプレイ１２の縦方向の長さと本体１０ａの上面に配置されたキーボード１３の縦方向の長さとを一致させることによって、メインディスプレイ１２が閉じられた状態においてサブディスプレイ１１の全てが露出されるものとして説明したが、図３２に示すように当該サブディスプレイ１１の一部のみが露出されるようにしても構わない。このような構成によれば、メインディスプレイ１２が閉じられた状態において当該メインディスプレイ１２によって覆われるサブディスプレイ１１の一部の領域の機能をオフとすることが可能となり、消費電力を低減することができる。なお、サブディスプレイ１１の一部の領域の機能をオフすることについては上述した第９の実施形態において説明した通りであるため、ここではその詳しい説明を省略する。
【０２４７】
また、例えば図３３に示すように、メインディスプレイ１２が閉じられた状態においてサブディスプレイ１１に加えてキーボード１３の一部が露出されるようにしてもよい。このような構成によれば、露出されているキーボード１３の一部を利用することが可能となり、例えば露出されている特定のキーをユーザが押下することによって上述したメモアプリケーションを起動させること等が可能となる。
【０２４８】
（第１１の実施形態）
次に、第１１の実施形態について説明する。なお、本実施形態においては、前述した第１の実施形態と同様の部分についてはその詳しい説明を省略し、当該第１の実施形態と異なる部分について主に述べる。
【０２４９】
前述した第１の実施形態においてメインディスプレイ１２は１つのディスプレイから構成されているものとして説明したが、本実施形態は、当該メインディスプレイ１２が第１ディスプレイ１２ａ及び第２ディスプレイ１２ｂから構成されている点で、前述した第１の実施形態とは異なる。
【０２５０】
図３４を参照して、本実施形態に係る情報処理装置１０について説明する。図３４に示すように、本実施形態に係る情報処理装置１０のメインディスプレイ１２は、第１ディスプレイ１２ａ及び第２ディスプレイ１２ｂを有する。
【０２５１】
ここで、メインディスプレイ１２は、当該メインディスプレイ１２が開かれた状態において、例えば当該メインディスプレイ１２の中央よりも上側に位置する横方向（水平方向）の境界線により、当該メインディスプレイ１２の上側の部分と下側の部分とに分割されている。本実施形態においては、このように分割されたメインディスプレイ１２の下側の部分が第１ディスプレイ１２ａであり、当該分割されたメインディスプレイ１２の上側の部分が第２ディスプレイ１２ｂである。
【０２５２】
上記した第１ディスプレイ１２ａは、前述した第１の実施形態におけるメインディスプレイ１２と同様に、本体１０ａの上面が露出される位置から本体１０ａの上面がメインディスプレイ１２（第１ディスプレイ１２ａ及び第２ディスプレイ１２ｂ）で覆われる位置までの間を回動することができるように本体１０ａに取り付けられている。
【０２５３】
図３５は、本体１０ａの上面が第１ディスプレイ１２ａ及び第２ディスプレイ１２ｂで覆われた状態（つまり、メインディスプレイ１２が閉じられた状態）を示す。
【０２５４】
ここで、第２ディスプレイ１２ｂは、第１ディスプレイ１２ａと第２ディスプレイ１２ｂとの境界部分１２ｃを軸として回動可能な（つまり、第１ディスプレイ１２ａと第２ディスプレイ１２ｂとの分割点から曲がる）ように構成されている。
【０２５５】
図３６は、図３５に示すメインディスプレイ１２（第１ディスプレイ１２ａ及び第２ディスプレイ１２ｂ）が閉じられた状態から第２ディスプレイ１２ｂの表示面が露出される位置まで当該第２ディスプレイ１２ｂを回動した状態を示す。
【０２５６】
本実施形態に係る情報処理装置１０においては、このような構成により、本体１０ａの上面が第１ディスプレイ１２ａで覆われた状態であっても、第２ディスプレイ１２ｂ及びサブディスプレイ１１が露出された状態となるため、当該第２ディスプレイ１２ｂ及びサブディスプレイ１１を活用することが可能となる。
【０２５７】
なお、本実施形態に係る情報処理装置１０のシステム構成は、メインディスプレイ１２が第１ディスプレイ１２ａ及び第２ディスプレイ１２ｂから構成されている点以外は前述した第１の実施形態と同様であるため、適宜、図６等を用いて説明する。
【０２５８】
以下、図３７のフローチャートを参照して、本実施形態に係る情報処理装置１０の処理手順について説明する。
【０２５９】
ここでは、図３５に示すように、情報処理装置１０が本体１０ａの上面がメインディスプレイ１２（第１ディスプレイ１２ａ及び第２ディスプレイ１２ｂ）で覆われた状態（つまり、メインディスプレイ１２が閉じられた状態）にある場合を想定する。このとき、第１ディスプレイ１２ａ、第２ディスプレイ１２ｂ及びサブディスプレイは非点灯であるものとする。
【０２６０】
この場合、第２ディスプレイ１２ｂが開かれたか否かが判定される（ステップＳ８１）。なお、「第２ディスプレイ１２ｂが開かれた」とは、図３５に示す状態から、第２ディスプレイ１２ｂが回動されることによって当該第２ディスプレイ１２ｂの画面が露出された状態（つまり、図３６に示す状態）になることをいう。
【０２６１】
本実施形態において、第２ディスプレイ１２ｂが開かれた状態は、例えば情報処理装置１０に設けられている磁気センサまたは物理スイッチ等によって検出することが可能であるものとする。
【０２６２】
第２ディスプレイ１２ｂが開かれていないと判定された場合（ステップＳ８１のＮＯ）、処理は終了される。
【０２６３】
ここで、ユーザは、例えば上記した図３６に示す状態において動作させるＯＳを事前に設定しておくことができるものとする。ユーザが設定しておくことができるＯＳはメインＯＳ１４ａであってもよいしサブＯＳ１６であってもよいが、以下の説明では、サブＯＳ１６ａが設定されているものとする。
【０２６４】
ステップＳ８１において第２ディスプレイ１２ｂが開かれたと判定された場合（ステップＳ８１のＹＥＳ）、ユーザが設定したサブＯＳ１６ａがアクティブである（動作している）か否かが判定される（ステップＳ８２）。
【０２６５】
サブＯＳ１６ａがアクティブでないと判定された場合（ステップＳ８２のＮＯ）、サブＣＰＵ１６を動作させ、当該サブＯＳ１６ａはサブＯＳ１６ａを起動する（ステップＳ８３）。
【０２６６】
一方、サブＯＳ１６ａがアクティブであると判定された場合（ステップＳ８２のＹＥＳ）、ステップＳ８３の処理は実行されない。
【０２６７】
次に、サブＣＰＵ１６は、第２ディスプレイ１２ｂ及びサブディスプレイ１１を点灯する（ステップＳ８４）。
【０２６８】
ここで、ユーザは、上記したように第２ディスプレイ１２ｂが開かれた場合に当該第２ディスプレイ１２ｂとサブディスプレイ１１とを連動させるか否かを設定することが可能であるものとする。
【０２６９】
このため、サブＣＰＵ１６は、ユーザの設定に基づいて第２ディスプレイ１２ｂとサブディスプレイ１１とを連係動作（連動）させるか否かを判定する（ステップＳ８５）。
【０２７０】
第２ディスプレイ１２ｂとサブディスプレイ１１とを連係動作させると判定された場合（ステップＳ８５のＹＥＳ）、サブＣＰＵ１６は、第２ディスプレイ１２ｂとサブディスプレイ１１とが１画面として動作するように、当該第２ディスプレイ１２ｂ及びサブディスプレイ１１の表示を制御する（ステップＳ８６）。
【０２７１】
この場合、１画面として動作する第２ディスプレイ１２ｂ及びサブディスプレイ１１には、例えばカレンダー、時計及び未読メールの存在を示す情報等が表示されてもよいし、サブＣＰＵ１６によって実行される所定のアプリケーションプログラムに従った画面等が表示されてもよい。
【０２７２】
なお、本実施形態に係る情報処理装置１０においては、例えば第２ディスプレイ１２ｂ及びサブディスプレイ１１の各々に対応するスイッチが設けられているものとする。ユーザは、このようなスイッチを用いて第２ディスプレイ１２ｂ及びサブディスプレイ１１をオフする操作を行うことができる。なお、第２ディスプレイ１２ｂ及びサブディスプレイ１１の各々に対応するスイッチは、情報処理装置１０に物理的に配置されているスイッチ（ハードウェアスイッチ）であってもよいし、第２ディスプレイ１２ｂまたはサブディスプレイ１１に表示されたボタン（ソフトウェアスイッチ）であってもよい。
【０２７３】
ここで、サブＣＰＵ１６は、第２ディスプレイ１２ｂまたはサブディスプレイ１１をオフする操作が行われたか否かを判定する（ステップＳ８７）。
【０２７４】
第２ディスプレイ１２ｂまたはサブディスプレイ１１をオフする操作が行われていない場合（ステップＳ８７のＮＯ）、上記した第２ディスプレイ１２ｂとサブディスプレイ１１との連係動作は継続される。
【０２７５】
第２ディスプレイ１２ｂまたはサブディスプレイ１１をオフする操作が行われた場合（ステップＳ８７のＹＥＳ）、サブＣＰＵ１６は、オフする操作が行われたディスプレイ（第２ディスプレイ１２ｂまたはサブディスプレイ１１）を非点灯とする（ステップＳ８８）。
【０２７６】
ステップＳ８８の処理が実行されると、サブＣＰＵ１６は、第２ディスプレイ１２ｂ及びサブディスプレイ１１との連動（連係動作）を解除する（ステップＳ８９）。これによれば、第２ディスプレイ１２ｂとサブディスプレイ１１とが１画面として動作していたところ、当該ディスプレイの一方が非点灯とされることにより、点灯している他方のディスプレイのみで表示動作が継続される。
【０２７７】
なお、第２ディスプレイ１２ｂとサブディスプレイ１１とを連係動作させないと判定された場合（ステップＳ８５のＮＯ）、処理は終了される。この場合、第２ディスプレイ１２ｂとサブディスプレイ１１とでは、異なる情報を表示することができる。なお、このように第２ディスプレイ１２ｂとサブディスプレイ１１とで異なる情報を表示する場合、当該第２ディスプレイ１２ｂはメインＣＰＵ１４によって制御され、サブディスプレイ１１はサブＣＰＵ１６によって制御されるようにしても構わない。
【０２７８】
上記したように本実施形態においては、メインディスプレイ１２を構成する第２ディスプレイ１２ｂが第１ディスプレイ１２ａとの境界部分において回動可能に構成されていることにより、情報処理装置１０を図３６に示すような状態で使用することが可能となる。すなわち、本実施形態においては、第２ディスプレイ１２ｂとを連係動作させることでサブディスプレイ１１を拡張することが可能となり、パームレスト部を更に有効に活用することができる。
【０２７９】
なお、本実施形態においては、上記したように第２ディスプレイ１２ｂとサブディスプレイ１１とを連係動作させることにより１画面として動作させることが可能であるが、第２ディスプレイ１２ｂ及びサブディスプレイ１１はそれぞれ独立に動作して異なる情報を表示することも可能であるし、一方のディスプレイのみが点灯して情報を表示することも可能である。
【０２８０】
（第１２の実施形態）
次に、第１２の実施形態について説明する。なお、本実施形態においては、前述した第１の実施形態と同様の部分についてはその詳しい説明を省略し、当該第１の実施形態と異なる部分について主に述べる。
【０２８１】
前述した第１の実施形態においてメインディスプレイ１２は１つのディスプレイから構成されているものとして説明したが、本実施形態は、上述した第１１の実施形態と同様に、当該メインディスプレイ１２が第１ディスプレイ１２ａ及び第２ディスプレイ１２ｂから構成されている点で、前述した第１の実施形態とは異なる。
【０２８２】
図３８を参照して、本実施形態に係る情報処理装置１０について説明する。図３８に示すように、本実施形態に係る情報処理装置１０のメインディスプレイ１２は、第１ディスプレイ１２ａ及び第２ディスプレイ１２ｂから構成されている。
【０２８３】
ここで、メインディスプレイ１２は、当該メインディスプレイ１２が開かれた状態において、当該メインディスプレイ１２の右上の三角形状の部分とそれ以外の部分とに分割されている。本実施形態においては、このように分割された三角形状の部分以外の部分が第１ディスプレイ１２ａであり、当該三角形状の部分が第２ディスプレイ１２ｂである。
【０２８４】
上記した第１ディスプレイ１２ａは、前述した第１の実施形態におけるメインディスプレイ１２と同様に、本体１０ａの上面が露出される位置から本体１０ａの上面がメインディスプレイ１２（第１ディスプレイ１２ａ及び第２ディスプレイ１２ｂ）で覆われる位置までの間を回動することができるように本体１０ａに取り付けられている。
【０２８５】
図３９は、本体１０ａの上面が第１ディスプレイ１２ａ及び第２ディスプレイ１２ｂで覆われた状態（つまり、メインディスプレイ１２が閉じられた状態）を示す。
【０２８６】
ここで、第２ディスプレイ１２ｂは、第１ディスプレイ１ａと第２ディスプレイ１２ｂとの境界部分１２ｃを軸として回動可能な（つまり、第１ディスプレイ１２ａと第２ディスプレイ１２ｂとの分割点から曲がる）ように構成されている。
【０２８７】
図４０は、図３９に示すメインディスプレイ１２（第１ディスプレイ１２ａ及び第２ディスプレイ１２ｂ）が閉じられた状態から第２ディスプレイ１２ｂの表示面が露出される位置まで当該第２ディスプレイ１２ｂを回動した状態を示す。
【０２８８】
本実施形態に係る情報処理装置１０においては、このような構成により、本体１０ａの上面が第１ディスプレイ１２ａで覆われた状態であっても、第２ディスプレイ１２ｂ及びサブディスプレイ１１が露出された状態となるため、当該第２ディスプレイ１２ｂ及びサブディスプレイ１１を活用することが可能となる。
【０２８９】
なお、本実施形態に係る情報処理装置１０のシステム構成は、メインディスプレイ１２が第１ディスプレイ１２ａ及び第２ディスプレイ１２ｂから構成されている点以外は前述した第１の実施形態と同様であるため、適宜、図６とを用いて説明する。
【０２９０】
以下、図４１のフローチャートを参照して、本実施形態に係る情報処理装置１０の処理手順について説明する。
【０２９１】
ここでは、図３９に示すように、情報処理装置１０が本体１０ａの上面がメインディスプレイ１２（第１ディスプレイ１２ａ及び第２ディスプレイ１２ｂ）で覆われた状態（つまり、メインディスプレイ１２が閉じられた状態）にある場合を想定する。なお、第１ディスプレイ１２ａ、第２ディスプレイ１２ｂ及びサブディスプレイは非点灯であるものとする。
【０２９２】
ここで、上記したように第２ディスプレイ１２ｂは第１ディスプレイ１２ａとの境界部分を軸として回動可能に構成されていることにより、ユーザは、当該第２ディスプレイ１２ｂを回動させることによってサブディスプレイ１１の一部（メインディスプレイ１２が閉じられた状態において第２ディスプレイ１２ｂと対向している部分）を露出させることができる。
【０２９３】
ユーザが第２ディスプレイ１２ｂを回動させた場合、当該第２ディスプレイ１２ｂの曲がり量（開き量）が取得される（ステップＳ９１）。この第２ディスプレイ１２ｂの曲がり量は、例えばサブディスプレイ１１が有するタッチセンサ１１１や情報処理装置１０に設けられている近接センサまたはメインディスプレイ１２の歪検知センサ等を用いることによって取得可能である。
【０２９４】
次に、ステップＳ９１において取得された曲がり量が予め定められた値（以下、閾値と表記）以上であるか否かが判定される（ステップＳ９２）。
【０２９５】
曲がり量が閾値以上でないと判定された場合（ステップＳ９２のＮＯ）、処理は終了される。
【０２９６】
一方、曲がり量が閾値以上であると判定された場合（ステップＳ９２のＹＥＳ）、上述した図３７に示すステップＳ８２以降の処理に相当するステップＳ９３以降の処理が実行される。
【０２９７】
上記したように本実施形態においては、メインディスプレイ１２を構成する第２ディスプレイ１２ｂが第１ディスプレイ１２ａとの境界部分について回動可能に構成されていることにより、情報処理装置１０を図４０に示すような状態で使用することが可能となる。すなわち、本実施形態においては、第２ディスプレイ１２ｂとを連係動作させることでサブディスプレイ１１を拡張することが可能となり、パームレスト部を更に有効に活用することができる。なお、メインディスプレイ１２をフレキシブルディスプレイとし、フレキシブルディスプレイを図４０の第２ディスプレイ１２ｂのように折り曲げた場合も同様に第２ディスプレイ１２ｂとサブディスプレイ１１を連動動作させるようにしてもよい。この場合、折り曲げ位置はサブディスプレイ１１上のタッチセンサ１１１により検出し、メインディスプレイ１２の露出部及びサブディスプレイ１１の露出部を連動させて動作させてもよい。
【０２９８】
（第１３の実施形態）
次に、第１３の実施形態について説明する。なお、本実施形態においては、前述した第１の実施形態と同様の部分についてはその詳しい説明を省略し、当該第１の実施形態と異なる部分について主に述べる。
【０２９９】
本実施形態は、情報処理装置を複数の形態で使用することができる点で、前述した第１の実施形態とは異なる。
【０３００】
図４２及び図４３を参照して、本実施形態に係る情報処理装置１０について説明する。
【０３０１】
まず、図４２は、本実施形態に係る情報処理装置１０を当該情報処理装置１０が置かれた水平面に対して垂直方向から見た図である。本実施形態において、ユーザは、図４２に示す情報処理装置１０の手前側（つまり、本体１０ａのサブディスプレイ１１側）から当該情報処理装置１０を使用することができる。以下の説明において、図４２に示す情報処理装置１０を使用する形態を第１形態と称する。
【０３０２】
一方、図４３は、図４２に示す情報処理装置１０を水平方向に１８０度回転させた情報処理装置１０を示す図である。本実施形態において、ユーザは、図４２に示す情報処理装置１０の手前側（つまり、本体１０ａのキーボード側）から当該情報処理装置１０を使用することができる。以下の説明において、図４３に示す情報処理装置１０を使用する形態を第２形態と称する。
【０３０３】
本実施形態においては、情報処理装置１０が第１形態で使用されているか第２形態で使用されているかを判別し、当該形態に応じた処理を実行する必要がある。
【０３０４】
以下、図４４のフローチャートを参照して、本実施形態に係る情報処理装置１０の処理手順について説明する。
【０３０５】
本実施形態においては情報処理装置１０がメインディスプレイモードまたはサブディスプレイモードで動作していればよいが、ここでは、情報処理装置１０が例えばメインディスプレイモードで動作している場合について説明する。
【０３０６】
この場合、メインＣＰＵ１４は、ユーザによって情報処理装置１０が使用されている向きを検出する（ステップＳ１１１）。
【０３０７】
ステップＳ１１１においては、例えばキーボード１３を用いて文字等が入力された際に、サブディスプレイ１１に手のひらまたは手首が置かれている場合には、ユーザから見てキーボード１３よりもサブディスプレイ１１が手前に配置されている向き（以下、第１向きと表記）で情報処理装置１０が使用されていることを検出することができる。一方、キーボード１３を用いて文字等が入力された際に、サブディスプレイに手のひらまたは手首が置かれていない場合には、ユーザから見てサブディスプレイ１１よりもキーボード１３が手前に配置されている向き（以下、第２向きと表記）で情報処理装置１０が使用されていることを検出することができる。
【０３０８】
ここで説明したステップＳ１１１の処理は一例であり、上記した情報処理装置１０が使用されている向き（第１向きまたは第２向き）は、例えばメインディスプレイ１２の近傍または本体１０ａの上面等に配置されたカメラ等によって撮影された画像に基づいて検出されてもよい。すなわち、上記した第１向きで情報処理装置１０を使用するユーザを撮影可能な位置にカメラが配置されてる場合において、当該カメラによって撮影された画像中にユーザが含まれている場合には、第１向きで情報処理装置１０が使用されていることを検出することができる。一方、カメラによって撮影された画像中にユーザが含まれていない場合には、第１向きで情報処理装置１０が使用されていない（つまり、第２向きで情報処理装置１０が使用されている）ことを検出することができる。
【０３０９】
また、ステップＳ１１１においては、例えばユーザによるハードウェアスイッチまたはソフトウェアスイッチに対する操作に基づいて情報処理装置１０が使用されている向きが検出されてもよい。
【０３１０】
ここで、メインＣＰＵ１４は、ステップＳ１１１において検出された向きが第１向きであるか否かを判定する（ステップＳ１１２）。
【０３１１】
ステップＳ１１１において検出された向きが第１向きであると判定された場合（ステップＳ１１２のＹＥＳ）、メインＣＰＵ１４は、情報処理装置１０が第１形態で動作するように制御する（ステップＳ１１３）。具体的には、メインＣＰＵ１４は、第１形態で情報処理装置１０を使用するユーザが認識可能なようにサブディスプレイ１１に表示される文字の向きを制御する。
【０３１２】
一方、ステップＳ１１１において検出された向きが第１向きでない（つまり、第２向きである）と判定された場合（ステップＳ１１２のＮＯ）、メインＣＰＵ１４は、情報処理装置１０が第２形態で動作するように制御する（ステップＳ１１４）。具体的には、メインＣＰＵ１４は、第２形態で情報処理装置１０を使用するユーザが認識可能なようにサブディスプレイ１１に表示される文字の向きを制御する。
【０３１３】
ここで、ユーザが第２形態で情報処理装置１０を使用する際にキーボード１３を用いて文字を入力する場合を想定する。この場合、第１形態で情報処理装置１０を使用する場合と比べてキーボード１３に配置されているキーが１８０度回転した状態となっているため、ユーザは、このようなキーボード１３を用いて文字を入力することは困難である。
【０３１４】
このため、ステップＳ１１４においては、キーボード１３に配置されている各キーに対する文字及び記号等の割り当てを変更する制御を実行するものとする。この場合、例えば図４２及び図４３に示すように、第２形態で情報処理装置１０を使用する際のキーボード１３のキーの配列が第１形態で情報処理装置１０を使用する際のキーボード１３のキーの配列と概ね同様となるように、各キーに対する文字及び記号等の割り当てを変更する。
【０３１５】
また、このように各キーに対する文字及び記号等の割り当てを変更した場合、ユーザは、各キーにどの文字または記号が割り当てられているかを把握することが困難となる。このため、本実施形態においては、例えばキーボード１３に設けられている光源を制御することによって、当該キーボード１３に配置されている各キーの刻印の光り方（つまり、当該キーに割り当てられている文字または記号の表示）が変更されるような構成としても構わない。なお、例えばキーボード１３にディスプレイが設けられているような場合には、当該ディスプレイの表示を変更することによって各キーに割り当てられている文字または記号の表示を変更するようにしてもよい。
【０３１６】
これによれば、ユーザは、第２形態で情報処理装置１０を使用する場合であっても、第１形態で情報処理装置１０を使用する場合と同様にキーボード１３を用いて文字等を入力することができる。
【０３１７】
上記したように本実施形態においては、情報処理装置１０を複数の形態で使用することが可能となるため、手のひらまたは手首によって、サブディスプレイ１１が隠れることなく、最大限の面積でサブディスプレイ１１を使用することが可能になり、ユーザの利便性を向上させることが可能となる。
【０３１８】
以上述べた少なくとも１つの実施形態によれば、パームレスト部を有効に活用することが可能な情報処理装置を提供することができる。
【０３１９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０３２０】
１０，１００…情報処理装置、１０ａ…本体、１１…サブディスプレイ（第２ディスプレイ）、１２…メインディスプレイ（第１ディスプレイ）、１３…キーボード、１４…メインＣＰＵ、１４ａ…メインＯＳ（第１オペレーティングシステム）、１５…メインスイッチ（第１スイッチ）、１６…サブＣＰＵ、１６ａ…サブＯＳ（第２オペレーティングシステム）、１７…サブスイッチ（第２スイッチ）、１８…バッテリ、２１，２２…ボタン、１０１…保持部。
【図１Ａ】
2019145058.tif 000003
【図１Ｂ】
2019145058.tif 000004
【図２】
2019145058.tif 000005
【図３】
2019145058.tif 000006
【図４】
2019145058.tif 000007
【図５】
2019145058.tif 000008
【図６】
2019145058.tif 000009
【図７】
2019145058.tif 000010
【図８】
2019145058.tif 000011
【図９Ａ】
2019145058.tif 000012
【図９Ｂ】
2019145058.tif 000013
【図１０】
2019145058.tif 000014
【図１１】
2019145058.tif 000015
【図１２】
2019145058.tif 000016
【図１３】
2019145058.tif 000017
【図１４】
2019145058.tif 000018
【図１５】
2019145058.tif 000019
【図１６】
2019145058.tif 000020
【図１７】
2019145058.tif 000021
【図１８】
2019145058.tif 000022
【図１９】
2019145058.tif 000023
【図２０】
2019145058.tif 000024
【図２１】
2019145058.tif 000025
【図２２】
2019145058.tif 000026
【図２３】
2019145058.tif 000027
【図２４】
2019145058.tif 000028
【図２５】
2019145058.tif 000029
【図２６】
2019145058.tif 000030
【図２７】
2019145058.tif 000031
【図２８】
2019145058.tif 000032
【図２９】
2019145058.tif 000033
【図３０】
2019145058.tif 000034
【図３１】
2019145058.tif 000035
【図３２】
2019145058.tif 000036
【図３３】
2019145058.tif 000037
【図３４】
2019145058.tif 000038
【図３５】
2019145058.tif 000039
【図３６】
2019145058.tif 000040
【図３７】
2019145058.tif 000041
【図３８】
2019145058.tif 000042
【図３９】
2019145058.tif 000043
【図４０】
2019145058.tif 000044
【図４１】
2019145058.tif 000045
【図４２】
2019145058.tif 000046
【図４３】
2019145058.tif 000047
【図４４】
2019145058.tif 000048